(57)【要約】【課題】携帯機器などに持ち出されたコンテンツをコンテンツ記録再生装置に返却する場合、その移動または複製に時間がかかっていた。【解決手段】制御部１０４は、第１記録メディア１１６から、着脱自在な第２記録メディア３００にコンテンツデータが持ち出されるとき、そのコンテンツデータを第２記録メディア３００に複製およびその利用許諾情報を第２記録メディア３００に移動させるとともに、そのコンテンツデータをバックアップとして保持するよう制御する。制御部１０４は、第２記録メディア３００に持ち出されたコンテンツデータが第１記録メディア１１６に戻されるとき、第２記録メディア３００に保持する利用許諾情報を第１記録メディア１１６に移動させるとともに、バックアップとして前記第１記録メディアに保持された前記コンテンツデータを有効化させるよう制御する。【選択図】図１
2009134783.tif 000002
【特許請求の範囲】
【請求項１】
コンテンツデータおよびそれを利用するのに必要な利用許諾情報からなる複製の禁止されたコンテンツを保持する第１記録メディアと、
着脱自在な第２記録メディアを装着するための装着部と、
前記第１記録メディアから、前記第２記録メディアへの、前記コンテンツの持ち出しを制御する制御部と、を備え、
前記制御部は、前記コンテンツデータまたは前記コンテンツデータの一部分が前記第２記録メディアに持ち出されるとき、前記第１記録メディアに保持される前記コンテンツデータまたは前記コンテンツデータの一部分を前記第２記録メディアに複製およびその利用許諾情報を前記第２記録メディアに移動させるとともに、前記第１記録メディアに保持された前記コンテンツデータをバックアップとして保持するよう制御し、
前記第２記録メディアに持ち出されたコンテンツデータまたは前記コンテンツデータの一部分が前記第１記録メディアに戻されるとき、前記第２記録メディアに保持する前記利用許諾情報を前記第１記録メディアに移動させるとともに、バックアップとして前記第１記録メディアに保持された前記コンテンツデータを有効化させるよう制御することを特徴とするコンテンツ記録再生装置。
【請求項２】
前記コンテンツデータは、暗号化され、
前記利用許諾情報は、暗号化された前記コンテンツデータを復号するためのコンテンツ鍵を含むことを特徴とする請求項１に記載のコンテンツ記録再生装置。
【請求項３】
コンテンツデータおよびそれを利用するのに必要な利用許諾情報からなる複製の禁止されたコンテンツを保持する第１記録メディアと、
着脱自在な第２記録メディアを装着するための装着部と、
前記第１記録メディアから、前記第２記録メディアに持ち出すべきコンテンツの解像度または符号化方式を変換する変換部と、
前記第１記録メディアから、着脱自在な第２記録メディアへの、前記コンテンツの持ち出しを制御する制御部と、を備え、
前記制御部は、前記コンテンツデータまたは前記コンテンツデータの一部分が前記第２記録メディアに持ち出されるとき、前記変換部によって前記コンテンツデータまたは前記コンテンツデータの一部分を変換した変換後のコンテンツデータを前記第２記録メディアに保持およびその利用許諾情報を前記第１記録メディアから前記第２記録メディアに移動させるとともに、前記第１記録メディアに保持された変換前のコンテンツデータをバックアップとして前記第１記録メディアに保持させるよう制御し、
前記第２記録メディアに持ち出されたコンテンツデータまたは前記コンテンツデータの一部分が前記第１記録メディアに戻されるとき、前記第２記録メディアに保持する前記利用許諾情報を前記第１記録メディアに移動させるとともに、バックアップとして保持された前記コンテンツデータを有効化させるよう制御することを特徴とするコンテンツ記録再生装置。
【請求項４】
前記コンテンツデータは、暗号化され、
前記利用許諾情報は、暗号化された前記コンテンツデータを復号するためのコンテンツ鍵を含み、
前記コンテンツ鍵を用いて暗号化された前記コンテンツデータを復号および変換後の前記コンテンツデータを暗号化する暗号部を、さらに備え、
前記制御部は、前記コンテンツデータが前記第２記録メディアに持ち出されるとき、前記暗号部にて暗号化された変換後の前記コンテンツデータを前記第２記録メディアに保持させるよう制御することを特徴とする請求項３に記載のコンテンツ記録再生装置。
【請求項５】
前記コンテンツデータは、それぞれ独立に処理可能な複数の部分に分離可能であって、
前記利用許諾情報は、独立に処理可能な部分ごとに対して複数存在し、
前記コンテンツデータの一部分が持ち出される場合、持ち出された部分の利用に必要な利用許諾情報のみ前記第２記録メディアに移動させ、残部分に対する利用許諾情報を前記第１記録メディアに保持するよう制御することを特徴とする請求項１から４のいずれかに記載のコンテンツ記録再生装置。
【請求項６】
コンテンツデータおよびそれを利用するのに必要な利用許諾情報からなる、複製回数が所定の回数に制限されたコンテンツを保持する第１記録メディアと、
着脱自在な第２記録メディアを装着するための装着部と
前記第１記録メディアから、前記第２記録メディアに持ち出すべきコンテンツの解像度または符号化方式を変換する変換部と、
前記第１記録メディアから前記第２記録メディアへの前記コンテンツの持ち出しを制御する制御部と、を備え、
前記利用許諾情報は、複製回数を所定の回数に制限するための制御情報を含み、
前記制御部は、前記コンテンツデータまたは前記コンテンツデータの一部分が前記第２記録メディアに持ち出されるとき、前記変換部による変換後のコンテンツデータを前記第２記録メディアに保持および前記第１記録メディアに保持されるその利用許諾情報に基づいて、生成された前記制御情報によって複製が禁止される利用許諾情報を前記第２記録メディアに保持させるとともに、前記第１記録メディアに保持される当該コンテンツの複製回数を増加方向および減少方向のいずれかの方向に一つ変化させるよう、前記第１記録メディアに保持される前記利用許諾情報に含まれる制御情報を制御し、
前記制御部は、前記第２記録メディアに持ち出されたコンテンツが前記第１記録メディアに戻されるとき、前記第１記録メディアに、持ち出された前記コンテンツデータおよびその利用許諾情報が保持されている場合、前記第２記録メディアに複製させたコンテンツおよびその利用許諾情報の削除が確認されると、前記第１記録メディアに保持される当該コンテンツの複製回数を前記方向と逆方向に一つ変化させるよう制御することを特徴とするコンテンツ記録再生装置。
【請求項７】
前記コンテンツデータは、暗号化され、
前記利用許諾情報は、暗号化された前記コンテンツデータを復号するためのコンテンツ鍵を含み、
前記コンテンツ鍵を用いて暗号化された前記コンテンツデータを復号および変換後の前記コンテンツデータを暗号化する暗号部を、さらに備え、
前記制御部は、前記コンテンツデータが前記第２記録メディアに持ち出されるとき、前記暗号部にて暗号化された変換後の前記コンテンツデータを前記第２記録メディアに保持させるよう制御することを特徴とする請求項６に記載のコンテンツ記録再生装置。
【請求項８】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分、およびその利用許諾情報の少なくとも一方が削除されているとき、それに対応する、前記第１記録メディアにバックアップとして保持されるコンテンツデータを削除させるよう制御することを特徴とする請求項１から４のいずれかに記載のコンテンツ記録再生装置。
【請求項９】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分、および前記コンテンツの利用許諾情報の少なくとも一方が削除されているとき、それに対応する、前記第１記録メディアにバックアップとして保持されるコンテンツデータおよび、残部分に対する利用許諾情報を削除させるよう制御することを特徴とする請求項５に記載のコンテンツ記録再生装置。
【請求項１０】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分に対する前記利用許諾情報が削除されているとき、前記第１記録メディアに保持されるバックアップとして保持されるコンテンツデータを削除させるよう制御し、前記利用許諾情報が保持されているとき、前記第２記録メディアに持ち出されたコンテンツデータまたは前記コンテンツデータの一部分を前記第１記録メディアに戻すよう制御することを特徴とする請求項１から４のいずれかに記載のコンテンツ記録再生装置。
【請求項１１】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分に対する前記利用許諾情報が削除されているとき、それに対応する前記第１記録メディアにバックアップとして保持されるコンテンツデータおよび、残部分に対する利用許諾情報を削除させるよう制御し、前記利用許諾情報が保持されているとき、前記第２記録メディアに持ち出されたコンテンツデータまたは前記コンテンツデータの一部分を前記第１記録メディアに戻すよう制御することを特徴とする請求項５に記載のコンテンツ記録再生装置
【請求項１２】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分に対する利用許諾情報が削除されているとき、それに対応する前記第１記録メディアに保持されるコンテンツデータおよび、その利用許諾情報を削除させるよう制御し、前記利用許諾情報が保持されているとき、前記第２記録メディアに持ち出されたコンテンツデータまたは前記コンテンツデータの一部分を前記第１記録メディアに戻すよう制御することを特徴とする請求項６または７に記載のコンテンツ記録再生装置。
【請求項１３】
前記制御部は、前記第２記録メディアが前記装着部に装着されると、前記第２記録メディアが保持するデータを参照し、前記第１記録メディアから前記第２記録メディアに持ち出された前記利用許諾情報が少なくとも削除されているとき、それに対応する、前記第１記録メディアにバックアップとして保持されるコンテンツデータを削除させるよう制御し、
前記第１記録メディアから前記第２記録メディアに持ち出されたコンテンツデータまたはコンテンツデータの一部分が削除され、かつ前記利用許諾情報が保持されているとき、前記第２記録メディアに持ち出されたコンテンツデータまたは前記コンテンツデータの一部分を前記第１記録メディアに戻すよう制御することを特徴とする請求項１から４のいずれかに記載のコンテンツ記録再生装置。
【請求項１４】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分に対する前記利用許諾情報が削除されているとき、それに対応する前記第１記録メディアにバックアップとして保持されるコンテンツデータおよび、残部分に対する利用許諾情報を削除させるよう制御し、前記利用許諾情報が保持されているとき、前記第２記録メディアに持ち出されたコンテンツデータまたは前記コンテンツデータの一部分を前記第１記録メディアに戻すよう制御することを特徴とする請求項５に記載のコンテンツ記録再生装置
【請求項１５】
前記制御部は、前記第２記録メディアが前記装着部に装着されると、前記第２記録メディアが保持するデータを参照し、前記第１記録メディアから前記第２記録メディアに持ち出されたコンテンツデータまたは前記コンテンツデータの一部分に対する利用許諾情報が削除されているとき、それに対応する前記第１記録メディアに保持されるコンテンツデータおよび、その利用許諾情報を削除させるよう制御し、前記利用許諾情報が保持されているとき、前記第２記録メディアに持ち出されたコンテンツデータまたは前記コンテンツデータの一部分を前記第１記録メディアに戻すよう制御することを特徴とする請求項６または７に記載のコンテンツ記録再生装置。
【請求項１６】
前記第２記録メディアは、前記第１記録メディアから持ち出された前記コンテンツデータまたは前記コンテンツデータの一部分に対応する前記第１記録メディアに保持される前記コンテンツデータのバックアップを管理するための管理フラグを保持し、
前記制御部は、前記第２記録メディアが前記装着部に装着されると、前記管理フラグを参照し、前記管理フラグによって削除が指示されるとき、それに対応する前記第１記録メディアにバックアップとして保持されるコンテンツデータを削除させるよう制御し、
前記管理フラグによって戻しが指示されるとき、前記コンテンツデータまたは前記コンテンツデータの一部分を前記第１記録メディアに戻すよう制御することを特徴とする請求項１から４のいずれかに記載のコンテンツ記録再生装置。
【請求項１７】
前記第２記録メディアは、前記第１記録メディアから持ち出された前記コンテンツデータまたは前記コンテンツデータの一部分に対応する前記第１記録メディアに保持される前記コンテンツデータのバックアップを管理するための管理フラグを保持し、
前記制御部は、前記第２記録メディアが前記装着部に装着されると、前記管理フラグを参照し、前記管理フラグによって削除が指示されるとき、それに対応する前記第１記録メディアにバックアップとして保持されるコンテンツデータおよび、残部分に対する利用許諾情報を削除させるよう制御し、
前記管理フラグによって戻しが指示されとき、前記第２記録メディアに持ち出されたコンテンツデータまたは前記コンテンツデータの一部分を前記第１記録メディアに戻すよう制御することを特徴とする請求項５に記載のコンテンツ記録再生装置
【請求項１８】
前記第２記録メディアは、前記第１記録メディアから持ち出された前記コンテンツデータまたは前記コンテンツデータの一部分に対応する前記第１記録メディアに保持される前記コンテンツデータを管理するための管理フラグを保持し、
前記制御部は、前記第２記録メディアが前記装着部に装着されると、前記管理フラグを参照し、前記管理フラグによって削除が指示されるとき、それに対応する前記第１記録メディアに保持されるコンテンツデータおよび、その利用許諾情報を削除させるよう制御するように制御し、
前記管理フラグによって戻しが指示されるとき、前記第２記録メディアに持ち出されたコンテンツデータまたは前記コンテンツデータの一部分を前記第１記録メディアに戻すよう制御することを特徴とする請求項６または７に記載のコンテンツ記録再生装置。
【請求項１９】
前記制御部は、前記装着部に装着された前記第２記録メディアの識別情報を管理するメディアリストを生成し、その識別情報により前記装着部に装着される第２記録メディアを特定することを特徴とする請求項１から１８のいずれかに記載のコンテンツ記録再生装置。
【発明の詳細な説明】
【技術分野】
【０００１】
本発明は、コンテンツを記録し、管理するコンテンツ記録再生装置に関する。
【背景技術】
【０００２】
音楽や映像などのデジタル化が進み、日本では２００３年１２月から一部地域で地上デジタル放送が開始された。地上デジタル放送やＢＳデジタル放送ではコピーワンスが採用されている。コピーワンスはデジタルコンテンツの著作権保護方式の一つで、一度だけコピーを許可する方式である。なお。コピーワンスコンテツは記録メディアに一度記録すると、ネバーコピー状態に変化し、以後複製が禁止される。この状態のコンテンツは、他の記録メディアに移動（複製後、複製元の記録メディアに記録されていたコンテンツが確実に削除あるいは再生不能化されること）することは可能である。
【０００３】
地上デジタル放送の開始に伴い、デジタル放送される番組を受信し、ＤＶＤ、ブルーレイディスク、ハードディスクなどの記録メディアに記録し、再生することのできる記録再生装置が普及してきている。それと共に、携帯型音楽プレーヤ、携帯型ゲーム機器、携帯電話機、スマートフォンなどの携帯機器も普及してきている。このような環境下、自宅の記録再生装置に録画した番組を携帯機器に移動または複製して、外で番組を視聴するというスタイルが定着してきている。また、自宅の記録再生装置に記録した番組を車内に持ち込み車載型再生装置（カーナビゲーション装置やリアシート再生装置）で視聴するというスタイルも提案されている。
【０００４】
このように、録画された番組を外に持ち出して視聴する機会が多くなってくると、コピーワンスは現実的でなく、総務省は地上デジタル放送について、録画された番組を９回までコピーすることを許可する方向で検討している（２００７年１０月現在）。
【０００５】
特許文献１は、デジタル記録再生方法を開示する。この記録再生方法は、デジタル情報およびそのデジタル情報のコピー制御情報を受信し、そのコピー制御情報が一世代のみ記録を許すことを示すものである場合、第１の記録メディアにデジタル情報のコピー許可回数と共に上記デジタル情報を記録する。そして、記録されたデジタル情報を第２の記録メディアへ移動させる際、新たに上記デジタル情報および更新したコピー許可回数を第１の記録メディアに記録し、記録されたコピー許可回数を表示装置に出力する。
【０００６】
特許文献２も、デジタル記録再生方法を開示する。この記録再生方法は、第１のデジタル情報およびその第１のデジタル情報のコピー制御情報を受信し、そのコピー制御情報が一世代のみ記録を許すことを示すものである場合、記録メディアに第１のデジタル情報と、第１のデジタル情報を変換したビットレートの異なる第２のデジタル情報とを記録する。そして、記録された第１のデジタル情報または第２のデジタル情報のいずれかを他の記録メディアへコピーした場合、第１の記録メディアに記録されている第１のデジタル情報または第２のデジタル情報の少なくとも一部を再生不能にする。
【特許文献１】特開２００６−１１４０９０号公報
【特許文献２】特開２００６−１１４０９１号公報
【発明の開示】
【発明が解決しようとする課題】
【０００７】
上述したスタイルのように、コンテンツを携帯機器などに持ち出した後、携帯機器などからコンテンツを記録再生装置に返却する場合、そのコンテンツの移動または複製に時間がかかっていた。
また、表示能力が低い機器への持ち出しを目的として、画質（画格や解像度）を低下させたコンテンツを持ち出し返却する場合、返却されたコンテンツの画質は低下させたものになっていた。
【０００８】
本発明はこうした状況に鑑みてなされたもので、その目的は、携帯機器などに持ち出されたコンテンツの返却を高速化することができるコンテンツ記録再生装置を提供することにある。
別の側面では、画質を低下させたコンテンツ（画格、解像度を低く抑えビットレートを下げたもの）を持ち出し返却する場合、返却されたコンテンツの画質を低下させないことにある。
【課題を解決するための手段】
【０００９】
本発明のある態様のコンテンツ記録再生装置は、コンテンツデータおよびそれを利用するのに必要な利用許諾情報からなる複製の禁止されたコンテンツを保持する第１記録メディアと、着脱自在な第２記録メディアを装着するための装着部と、第１記録メディアから、第２記録メディアへの、コンテンツの持ち出しを制御する制御部と、を備える。制御部は、コンテンツデータまたはコンテンツデータの一部分が第２記録メディアに持ち出されるとき、第１記録メディアに保持されるコンテンツデータまたはコンテンツデータの一部分を第２記録メディアに複製およびその利用許諾情報を第２記録メディアに移動させるとともに、第１記録メディアに保持されたコンテンツデータをバックアップとして保持するよう制御し、第２記録メディアに持ち出されたコンテンツデータまたはコンテンツデータの一部分が第１記録メディアに戻されるとき、第２記録メディアに保持する利用許諾情報を第１記録メディアに移動させるとともに、バックアップとして第１記録メディアに保持されたコンテンツデータを有効化させるよう制御する。
【００１０】
なお、以上の構成要素の任意の組み合わせ、本発明の表現を方法、装置、システム、記録メディア、コンピュータプログラムなどの間で変換したものもまた、本発明の態様として有効である。
【発明の効果】
【００１１】
本発明によれば、携帯機器などに持ち出されたコンテンツの返却を高速化することができる。また、持ち出し形式に伴う画質の低下を回避することができる。
【発明を実施するための最良の形態】
【００１２】
（実施の形態１）
実施の形態１は、コピーワンスコンテンツの持ち出し、返却に関する。
図１は、実施の形態１に係るコンテンツ記録再生装置１０の構成を示す。
コンテンツ記録再生装置１０は、受付部１００、暗号処理部１０３、制御部１０４、ＭＰＥＧ−ＴＳデコーダ１０６、Ｄ／Ａ変換部１０８、表示装置１１０、第２記録メディア装着部１１２、第１記録メディア１１６、チューナ１２０、伝送路復号部１２２、およびＴＳ分離／選択部１２４を備える。
【００１３】
これらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１４】
アンテナ２００は、デジタル変調された放送信号を受信する。コンテンツ記録再生装置１０は、アンテナ２００からデジタル放送を受信し、受信したデジタル放送のコンテンツを記録メディアに記録する。ユーザから再生を指示されると、記録メディアに記録したコンテンツを再生する。
【００１５】
チューナ１２０は、制御部１０４からの指示に従って、アンテナ２００で受信された放送信号から、ユーザが選択したチャンネルの信号を抽出する。伝送路復号部１２２は、チューナ１２０により抽出された信号を、ＭＰＥＧ２で符号化された映像音声データの形式に復号し、ＴＳ分離／選択部１２４へ出力する。ＴＳ分離／選択部１２４は、映像音声データを第１記録メディア１１６に蓄積する。
【００１６】
第１記録メディア１１６は、所定のコンテンツおよびその利用許諾情報を保持する。第１記録メディア１１６は、コンテンツ記録再生装置１０本体に内蔵された記録メディアである。たとえば、ハードディスクを採用することができる。以下、記録するコンテンツとしては、保護を必要とする放送コンテンツを想定する。ここでは、コンテンツは暗号化コンテンツデータと利用許諾情報として扱われる。暗号化コンテンツデータは、コンテンツデータ（所定の符号化方式で符号化されたデジタルデータ列）を、保護のためコンテンツ鍵を用いて暗号化したものである。利用許諾情報はコンテンツを再生または利用するために必要な情報であり、コンテンツ鍵を含む。暗号化コンテンツデータと利用許諾情報が揃わないと再生することができない構成となっている。
【００１７】
第２記録メディア装着部１１２は、着脱自在な可搬性のある第２記録メディア３００を装着するためのスロットである。第２記録メディア３００は、ＤＶＤ、ブルーレイディスク、メモリーカード、リムーバブルハードディスクなどを採用することができる。ここで、第２記録メディア３００の形態は、記録メディアそのものであってもよいし、リムーバブルドライブであってもよいし、携帯型音楽プレーヤなどの携帯機器に内蔵されたものであってもよい。第２記録メディア装着部１１２は、第２記録メディア３００が装着されると、装着検知信号を制御部１０４に送信する。また、第２記録メディア装着部１１２への装着は、ケーブルまたは短距離無線通信を介したものであってもよい。
【００１８】
暗号処理部１０３は、コンテンツ鍵を用いて、コンテンツデータを暗号化する。また、暗号化コンテンツデータをその鍵を用いて復号する。ここで、暗号化アルゴリズムの種別は問わず、いずれを用いてもよい。
【００１９】
制御部１０４は、第１記録メディア１１６から第２記録メディア３００へのコンテンツの持ち出しを制御する。制御部１０４は、コンテンツが第２記録メディア３００に持ち出されるとき、暗号化コンテンツデータを第２記録メディア３００に複製およびその利用許諾情報を第２記録メディア３００に移動させるとともに、当該暗号化コンテンツデータをバックアップとして第１記録メディア１１６に保存させるよう制御する。なお、移動とはある記録メディアから、他の記録メディアにデータを複製し、複製元の記録メディアに保持された元データを削除あるいは無効化する処理である。当該利用許諾情報が第２記録メディア３００に持ち出されたため、その利用許諾情報の返却を受けないかぎり、コンテンツ記録再生装置１０は、当該バックアップを再生することができない。
【００２０】
なお、これらの処理は、当該コンテンツを第１記録メディア１１６から第２記録メディア３００に移動する処理と捉えてもよい。当該コンテンツを第２記録メディア３００に複製し、第２記録メディア３００側に存在するコンテンツを再生可能にし、第１記録メディア１１６側に存在するコンテンツを再生不可にする。
【００２１】
制御部１０４は、第２記録メディア３００に持ち出されたコンテンツが第１記録メディア１１６に戻されるとき、第２記録メディア３００に存在する上記利用許諾情報を第１記録メディア１１６に移動させるとともに、上記バックアップを有効化させるよう制御する。このバックアップの有効化は、このバックアップコンテンツの利用許諾情報がコンテンツ記録再生装置１０側に有効に存在する状態にすることであってもよい。コンテンツ記録再生装置１０は、当該利用許諾情報がコンテンツ記録再生装置１０に返却された後、当該バックアップを再生することが可能となる。
なお、これらの処理は、当該コンテンツを第２記録メディア３００から第１記録メディア１１６に移動する処理と捉えてもよい。バックアップが存在するため、暗号コンテンツデータの複製の必要がないため、持ち出し時に比べて高速に処理することが可能である。
【００２２】
また、制御部１０４は、第２記録メディア装着部１１２に第２記録メディア３００が装着されているとき、その第２記録メディア３００から当該第２記録メディア３００の識別情報を取得する。
【００２３】
受付部１００は、リモコン受光部１０１および表示パネル１０２を含む。リモコン受光部１０１は、ユーザがコンテンツ記録再生装置１０に対して指示を入力するためのリモートコントローラ（図示せず）から発せられる光を受信して、ユーザからの指示を取得する。この指示には、第１記録メディア１１６から第２記録メディア３００に移動させるべき、一つまたは複数のコンテンツの指定を含む。表示パネル１０２は、各種制御情報などを表示する。
【００２４】
ＭＰＥＧ−ＴＳデコーダ１０６は、ＴＳ分離／選択部１２４により分離されたＭＰＥＧ−トランスポートストリーム（ＴＳ）信号をデコードする。Ｄ／Ａ変換部１０８は、ＭＰＥＧ−ＴＳデコーダ１０６によりデコードされたデジタル信号をアナログ信号に変換する。表示装置１１０は、Ｄ／Ａ変換部１０８により変換されたアナログの映像データを表示する。
【００２５】
図２は、実施の形態１に係る、第１記録メディア１１６がバックアップコンテンツを記録し、それを管理するためのファイル構造を示す図である。
まず、制御部１０４は、メディアリスト４０を生成する。メディアリスト４０は、第２記録メディア装着部１１２に装着された第２記録メディア３００ごとに、バックアップコンテンツリストを管理する。メディアリスト４０は、ヘッダ部およびＮ（Ｎは０以上の整数）個のエントリを持つ。ヘッダ部はエントリ数を管理する。このエントリは第２記録メディア３００ごとに設定される。各エントリは、ある第２記録メディア３００が第２記録メディア装着部１１２に最初に装着されたときに設定されることが可能である。
【００２６】
各エントリは、メディア識別情報、最終アクセス日時、およびバックアップコンテンツリストのファイル名を含む。メディア識別情報は、各第２記録メディア３００のシリアル番号またはその識別情報である。この識別情報は、製造時に第２記録メディア３００に書き込まれたものであっても、フォーマット時に書き込まれたものであっても、該コンテンツ記録再生装置１０によって書き込んだものであっても構わない。ただ、コンテンツ記録再生装置１０が、第２記録メディア３００を識別できさえすれば良い。最終アクセス日時は、そのエントリの第２記録メディア３００とコンテンツ記録再生装置１０との間で、データのやりとりを最後に行った日時である。第２記録メディア３００がコンテンツ記録再生装置１０に接続され第２記録メディア３００を認識したときであってもよいし、バックアップリストの更新を行ったときでもよい。
【００２７】
バックアップコンテンツリスト５１〜５Ｎは、第２記録メディア３００ごとに設定され、各第２記録メディア３００に持ち出したコンテンツのバックアップデータを管理する。各バックアップコンテンツリスト５１〜５Ｎは、ヘッダ部およびＭ（Ｍは０以上の整数）個のエントリを持つ。ヘッダ部はエントリ数を管理する。このエントリはコンテンツごとに設定され、各コンテンツのバックアップデータが記録されるファイル名を持つ。なお、バックアップデータとは、持ち出されたコンテンツに対する暗号化コンテンツデータをバックアップしたデータである。このエントリは、それに対応する第２記録メディア３００にコンテンツが持ち出されると設定される。図２では、第１バックアップコンテンツリスト５１は、第１バックアップデータ６１、第２バックアップデータ６２、・・・、第Ｍバックアップデータ６Ｍを管理する。
【００２８】
図３は、実施の形態１に係る、第１記録メディア１１６からコンテンツを第２記録メディア３００に持ち出す際の処理を示すフローチャートである。前述にしたがい、第２記録メディア３００に持ち出されるべきコンテンツは、暗号化コンテンツデータと利用許諾情報として保持されているものとする。後述する、すべてのフローチャートの例でも同様とする。なお、暗号化のタイミングは、第２記録メディア３００への持ち出し指示が与えられたときであってもよいし、コンテンツを取得し、第１記録メディア１１６に記録されるときであってもよい。
【００２９】
まず、制御部１０４は、ユーザにより選択されたコンテンツの持ち出し指示を受付部１００から受けると、持ち出すべきコンテンツに対応する暗号化コンテンツデータを第１記録メディア１１６から第２記録メディア３００へ複製させるよう制御する（Ｓ１０）。そして、第１記録メディア１１６に記録されている複製元の暗号化コンテンツデータをバックアップ化する。具体的には、当該コンテンツの暗号化コンテンツデータを格納するファイルのファイル名を変更（本実施例では、ファイル名の拡張子を、「ＢＡＫ」に変更あるいは付加）する（Ｓ１１）。以下ではバックアップ化された暗号コンテンツデータを、バックアップデータと呼ぶ。その後、当該コンテンツに対する利用許諾情報も第２記録メディア３００へ移動させるよう制御する（Ｓ１２）。
【００３０】
その後、制御部１０４は、そのバックアップデータの存在を反映させるべく、バックアップコンテンツリストを更新する（Ｓ１３）。具体的には、メディアリスト内において、該当する第２記録メディア３００のバックアップコンテンツリストに当該バックアップデータのファイル名を含むエントリを追加する。なお、該メディアリストに当該第２記録メディア３００を示す識別情報を含むエントリが含まれない場合、その識別情報を含む新たなエントリを当該メディアリストに設定する。この時、当該第２記録メディア３００に対するバックアップリストも生成し、第１記録メディア１１６に記録する。このメディアリストの更新のタイミングは、当該第２記録メディア３００が第２記録メディア装着部１１２に装着された時であってもよいし、コンテンツの持ち出し指示を受けたタイミングであってもよいし、バックアップリストを更新するタイミングであってもよい。
【００３１】
図４は、実施の形態１に係る、第２記録メディア３００からコンテンツを第１記録メディア１１６へ移動する際の処理を示すフローチャートである。まず、この例を説明する前にこの例の理解に必要な前提を述べる。第１記録メディア１１６に保持可能なバックアップデータの数は無限ではないことである。当然ながら、第１記録メディア１１６には記録容量の制限があり、バックアップデータ用に確保された容量を超える場合、新たにバックアップデータを保持することを禁止するか、すでに保持されているバックアップデータのいずれかを削除する必要がある。ここでは後者を前提とし、たとえば、時間的に先にバックアップ化されたバックアップデータから順に削除する。それと共に、当該バックアップデータに対するエントリがバックアップリストから削除されている。また、別の一面では、第２記録メディア３００が可搬型記録メディアであることから、他のコンテンツ記録再生装置から持ち出されたコンテンツを保持している。したがって、第２記録メディア３００が、バックアップコンテンツリストに登録されていないコンテンツを保持していることもある。
【００３２】
まず、第２記録メディア３００が第２記録メディア装着部１１２に装着され、ユーザにより第１記録メディア１１６から第２記録メディア３００へのコンテンツ移動指示が入力されると、以下に説明する第１記録メディア１１６から第２記録メディア３００へのコンテンツ移動処理が発動する。また、第２記録メディア装着部１１２から装着検知信号を制御部１０４が受けると、それに起因して自動的にコンテンツ移動処理が発動するようにしてもよい。
【００３３】
以下、図４を参照しながらコンテンツ移動処理について説明する。
まず、制御部１０４は、第１記録メディア１１６から、装着された第２記録メディア３００のバックアップコンテンツリストを図示しないワークエリアに読み込む（Ｓ２０）。つぎに、そのバックアップコンテンツリストに、第２記録メディア３００から返却されるべきコンテンツとして登録されているか否か判定する（Ｓ２１）。
【００３４】
登録されている場合（Ｓ２１のＹ）、第２記録メディア３００からのコンテンツ返却処理を行う。制御部１０４は、そのコンテンツに対応する、第１記録メディア１１６内のバックアップデータを有効化する。具体的には、当該バックアップデータのファイル名を変更（本実施例では、ファイル名の拡張子「ＢＡＫ」を変更あるいは削除）する（Ｓ２２）。それと共に、第２記録メディア３００内の当該暗号化コンテンツデータを削除する（Ｓ２３）。それと共に、その暗号化コンテンツの利用許諾情報を第２記録メディア３００から第１記録メディア１１６に移動させるよう制御する（Ｓ２４）。
【００３５】
その後、制御部１０４は、そのバックアップデータの有効化を反映させるべく、バックアップコンテンツリストを更新する（Ｓ２５）。具体的には、メディアリストによって特定される、該当する第２記録メディア３００のバックアップコンテンツリストに存在する当該バックアップデータのファイル名を含むエントリを削除する。
【００３６】
上記ステップＳ２１にて、登録されていない場合（Ｓ２１のＮ）、制御部１０４は、第２記録メディア３００内の暗号化コンテンツデータを第１記録メディア１１６に移動させるよう制御する（Ｓ２６）。それと共に、その暗号化コンテンツデータの利用許諾情報も第１記録メディア１１６に移動させるよう制御する（Ｓ２７）。暗号化コンテンツが無い場合（Ｓ２１のＮ）の処理は、通常のコンテンツの移動処理と同様である。
【００３７】
以上説明したように実施の形態１によれば、携帯機器などに持ち出されたコンテンツのバックアップをコンテンツ記録再生装置１０側に保持し、持ち出されたコンテンツが返却される際にそのバックアップを有効化することにより、携帯機器などに持ち出されたコンテンツの返却処理を高速化することができる。また、利用許諾情報のバックアップは、コンテンツ記録再生装置１０に保持しないため再生不能な状態にあり、コピーワンス方式の著作権管理が有効に機能する。
【００３８】
また、第２記録メディア装着部１１２からの装着検知信号に起因して自動的にコンテンツ返却処理を発動すれば、第２記録メディア装着部１１２に第２記録メディア３００が装着されてから瞬時にコンテンツの返却処理を完了することができる。しかも、ユーザにとって煩わしい操作が必要ない。
なお、コンテンツ記録再生装置１０の再生処理においてプレイリスト（再生可能な記録コンテンツの管理リスト）による管理がなされている場合は、バックアップリストの更新に伴い、プレイリストの更新を行う必要がある。
また、第１記録メディア１１６をコンテンツ記録再生装置１０に内蔵された記録メディアとして説明したが、コンテンツ記録再生装置１０から着脱できたとしても例外ではない。
【００３９】
（実施の形態２）
実施の形態２は、コピーワンスコンテンツの持ち出し、返却に関し、とくに持ち出すコンテンツの画質あるいは符号化方式を変換する場合に関する。
図５は、実施の形態２に係るコンテンツ記録再生装置１０の構成を示す。実施の形態２に係るコンテンツ記録再生装置１０の構成は、実施の形態１に係るコンテンツ記録再生装置１０の構成に画像変換部１０５が付加された構成である。
【００４０】
画像変換部１０５は、第２記録メディア３００に持ち出すべきコンテンツのビットレートを低下させたり、表示サイズ（画格）を変更したり、または符号化方式を変換する。たとえば、同一方式のままビットレートを下げる。画格をＨＤ画格のコンテンツをＳＤ画格のコンテンツに変換する。ＭＰＥＧ２−ＴＳで符号化されたコンテンツをＭＥＰＧ２−ＰＳやＨ．２６４／ＡＶＣで符号化されたコンテンツに変換する。すなわち、第２記録メディアがサポートする記録形式あるいは第２記録メディア３００を搭載して再生する携帯機器等の処理能力や表示能力に合わせたコンテンツの変換を行う。なお、以降では、画像変換部の処理を解像度または符号化方式の変換という。
【００４１】
コンテンツの変換処理が必要な場合、制御部１０４は、持ち出し対象となるコンテンツの利用許諾情報を第１記録メディア１１６から読出し、コンテンツ鍵を取り出して暗号処理部１０３に与える。次いで、当該コンテンツの暗号化コンテンツデータを第１記録メディア１１６から読出して暗号処理部１０３に与える。暗号処理部１０３は、与えられたコンテンツ鍵を用いて暗号化コンテンツデータの復号を行う。制御部１０４は、暗号処理部１０３にて復号されたコンテンツデータを画像変換部１０５に与える。画像変換部１０５は、与えられたコンテンツデータの変換を行う。制御部１０４は、画像変換部１０５による変換後のコンテンツを暗号処理部１０３に与える。暗号処理部１０３は、先のコンテンツ鍵をもちいて、変換後のコンテンツデータを再び暗号化する。そして、制御部１０４は、暗号処理部１０３にて暗号化された変換後のコンテンツデータ（変換後の暗号化コンテンツデータともいう）を、第２記録メディア３００に記録するよう制御する。制御部１０４は、画像変換部１０５による変換後のコンテンツを第２記録メディア３００に移動させ、変換前のコンテンツをバックアップとして第１記録メディア１１６に保存させるよう制御する。
【００４２】
図６は、実施の形態２に係る、第１記録メディア１１６からコンテンツを第２記録メディア３００に持ち出す際の処理を示すフローチャートである。
まず、制御部１０４は、ユーザにより選択されたコンテンツの持ち出し指示を受付部１００から受けると、その暗号化コンテンツデータに解像度または符号化方式の変換が必要か否か判定する（Ｓ３０）。この変換指示は、受付部１００からユーザの操作により与えられてもよいし、あらかじめ第２記録メディア３００ごとに設定されていてもよい。
【００４３】
変換を行わない場合（Ｓ３０のＮ）、図３に示したステップＳ１０〜Ｓ１３までの処理と同様の処理を行う（Ｓ３１〜Ｓ３４）。
変換を行う場合（Ｓ３０のＹ）、暗号処理部１０３は、第１記録メディア１１６から、当該暗号化コンテンツデータに対する利用許諾情報を読み出し、そこからコンテンツ鍵を取得し、その暗号化コンテンツデータを復号する（Ｓ３５）。つぎに、画像変換部１０５は、復号されたコンテンツデータの解像度または符号化方式の変換を行う（Ｓ３６）。暗号処理部１０３は、変換されたコンテンツを再びコンテンツ鍵で暗号化し、変換後の暗号化コンテンツを得る（Ｓ３７）。そして制御部１０４は、第２記録メディア３００へ、暗号処理部１０３で暗号化された変換後の暗号化コンテンツデータを記録するよう制御する（Ｓ３８）。
【００４４】
制御部１０４は、第１記録メディア１１６に記録されている対象となる暗号化コンテンツをバックアップ化する。具体的には、当該コンテンツの暗号化コンテンツを格納するファイルのファイル名を変更（本実施例では、ファイル名の拡張子を、「ＢＡＫ」に変更）する（Ｓ３２）。変換後の暗号化コンテンツデータをバックアップデータとして第１記録メディア１１６に保持させる必要はない。それと共に、第１記録メディア１１６から読み出した当該コンテンツの利用許諾情報も第２記録メディア３００に移動させるよう制御する（Ｓ３３）。その後、制御部１０４は、生成されたバックアップデータの存在を反映させるべく、バックアップコンテンツリストを更新する（Ｓ３４）。
【００４５】
実施の形態２に係る、第２記録メディア３００からコンテンツを第１記録メディア１１６への移動処理は、基本的に、実施の形態１に係る第２記録メディア３００から第１記録メディア１１６へのコンテンツ移動処理と同様である。以下、相違点について説明する。相違があるのは返却処理の場合のみである。
【００４６】
第１に、第２記録メディア３００に存在する暗号化コンテンツの対象が、解像度または符号化方式が変換された暗号化コンテンツである点である。第２に、第１記録メディア１１６にて保持されるバックアップデータが、解像度または符号化方式が変換前の暗号化コンテンツである点である。返却処理によってコンテンツ記録再生装置１０側で元の画質のコンテンツに戻すことが可能である。
【００４７】
以上説明したように実施の形態２によれば、実施の形態１の効果と同様の効果に加えて以下の効果を奏する。すなわち、第２記録メディア３００から暗号化コンテンツを第１記録メディア１１６に返却する際、コンテンツ記録再生装置１０のバックアップコンテンツデータが削除されていない限り、元の画質のコンテンツを復元することができる。
【００４８】
（実施の形態３）
実施の形態３は、コピーカウントコンテンツの持ち出し、返却に関し、とくに持ち出すコンテンツの画質を変換する場合に関する。
実施の形態３に係るコンテンツ記録再生の構成は、図５に示した実施の形態２に係るコンテンツ記録再生装置１０の構成と同様である。以下、実施の形態２と動作が異なる要素について説明する。
【００４９】
複製回数が所定の回数に制限されたコンテンツを記録する場合、当該コンテンツに対する利用許諾情報には、複製回数を制限するための複製回数が制御情報として含まれる。
複製回数を複製可能な回数と捉え、複製をするごとに複製回数の値をデクリメントするように制御すればよい。複製回数の値が０になるとコンテンツの複製が禁止される。なお、利用か許可される。
また、権利数を所有する権利の数と捉えてもよい。この場合、複製は所有する複数の利用権を１つずつ他の記録メディアへの移動と捉え、複製をするごとに権利数をデクリメントするように制御すればよい。なお権利数の値が１になると複製が禁止される。権利数の値が０になるとコンテンツの利用も禁止される。
逆に、複製を行った回数を複製回数として、利用許諾情報に含めるようにしてもよい。この場合、複製回数は複製を行うごとにインクリメントされる。予め複製回数の上限が決まっていない場合、複製回数の上限値も利用許諾情報に含める必要がある。なお、予め複製回数の上限が決まっている場合であっても、複製回数の上限値も利用許諾情報に含めてもよい。
また、この回数の管理は、コンテンツ記録再生装置１０内部で行ってもよいし、第２記録メディア３００が、制御機能を有するインテリジェントな記録装置（たとえば、ハードディスクドライブやメモリカード）であるならば、第２記録メディア３００内で行ってもよい。ここでは、複製回数として権利数を採用し、コンテンツ記録再生装置１０内の制御部１０４が管理を行うものとする。
【００５０】
制御部１０４は、コンテンツが第２記録メディア３００に持ち出されるとき、第１記録メディア１１６に記録されている暗号化コンテンツ、または、それを画像変換部１０５によって変換し、再暗号化した暗号化コンテンツおよびその利用許諾情報を第２記録メディア３００に複製または記録させるとともに、第１記録メディア１１６に保持される当該コンテンツの複製回数をデクリメントさせるよう制御する。さらに、当該コンテンツに対する第１記録メディア１１６に記録される利用許諾情報を取得し、それに含まれる複製回数を１に変更した利用許諾情報を第２記録メディア３００に記録するとともに、第１記録メディア１１６に保持される当該利用許諾情報の複製回数（権利数）をデクリメントさせるよう制御する。具体的には、その値をデクリメントした利用許諾情報に書き換える。
【００５１】
制御部１０４は、第２記録メディア３００に複製させた利用許諾情報の削除が確認されると、第１記録メディア１１６に保持される当該コンテンツの複製回数をインクリメントさせるよう制御する。具体的には、値をインクリメントした利用許諾情報に書き換える。
【００５２】
図７は、実施の形態３に係る、第１記録メディア１１６のコンテンツが持ち出されたコンテンツを管理するためのファイル構造を示す図である。
まず、制御部１０４は、メディアリスト７０を生成する。メディアリスト７０は、第２記録メディア装着部１１２に装着された第２記録メディア３００ごとに、移動コンテンツリストを管理する。メディアリスト７０は、ヘッダ部およびＰ（Ｐは０以上の整数）個のエントリを持つ。ヘッダ部はエントリ数を管理する。このエントリは第２記録メディア３００ごとに設定される。各エントリは、ある第２記録メディア３００が第２記録メディア装着部１１２に最初に装着されたとき設定されることが可能である。各エントリは、メディア識別情報、最終アクセス日時、および移動コンテンツリストのファイル名を含む。
【００５３】
移動コンテンツリスト８１〜８Ｐは、第２記録メディア３００ごとに設定される。各移動コンテンツリスト８１〜８Ｐは、ヘッダ部およびＱ（Ｑは０以上の整数）個のエントリを持つ。ヘッダ部はエントリ数を管理する。このエントリはコンテンツごとに設定され、各コンテンツのファイル名を持つ。このエントリは、コンテンツが複製されて、該当する第２記録メディア３００に持ち出されると設定される。図７では、第１移動コンテンツリスト８１はＰ個のコンテンツを管理する。第２移動コンテンツリスト８２は、一つのコンテンツを管理する。
【００５４】
なお、複製可能回数が０のコンテンツの持ち出しは、コピーワンスコンテンツの記録と同じ状態である。利用許諾情報が以後出力されなくなるので、利用許諾情報の移動に相当する。ゆえに、実施の形態２にしたがって暗号化コンテンツの複製後、暗号化コンテンツをバックアップ化することで、同様な効果が得られる。
【００５５】
図８は、実施の形態３に係る、第１記録メディア１１６からコンテンツを第２記録メディア３００に持ち出す際の処理を示すフローチャートである。
まず、制御部１０４は、ユーザにより選択されたコンテンツの取り出し（複製移動）指示を受付部１００から受けると、そのコンテンツの解像度または符号化方式の変換を行うか否か判定する（Ｓ５０）。この変換指示は、受付部１００からユーザの操作により与えられてもよいし、あらかじめ第２記録メディア３００ごとに設定されていてもよい。
【００５６】
変換を行わない場合（Ｓ５０のＮ）、選択された暗号化コンテンツデータを第１記録メディア１１６から第２記録メディア３００に複製させるよう制御する（Ｓ５１）。それと共に、その当該コンテンツの利用許諾情報を第１記録メディア１１６から読込み、読込まれた利用許諾情報の複製回数を１に変更し、第２記録メディア３００に記録するよう制御する（Ｓ５２）。なお、後述するステップＳ５５を経て、ステップＳ５２に至る場合は、ステップＳ５２で新たに利用許諾情報を読込むことなく、ステップＳ５５で読込んだ利用許諾情報を使用してもよい。
【００５７】
その後、制御部１０４は、第１記録メディア１１６に記録されている当該コンテンツに対する利用許諾情報の複製回数をデクリメントするように制御する（Ｓ５３）。具体的には、その読込んだ利用許諾情報の複製可能回数をデクリメントし、再び、第１記録メディア１１６の当該利用許諾情報として上書き記録する。なお、複製回数の初期値は、そのコンテンツの複製回数の制限に対応する権利数に設定されているものとする。それと共に、制御部１０４は、コンテンツの持ち出しを反映させるべく、移動コンテンツリストを更新する（Ｓ５４）。具体的には、該当する第２記録メディア３００に対する移動コンテンツリストに当該移動コンテンツに対する暗号化コンテンツデータのファイル名を追加する。
【００５８】
ステップＳ５０にて、変換を行う場合（Ｓ５０のＹ）、図６に示したステップＳ３５〜Ｓ３８までの処理と同様の処理を行う（Ｓ５５〜Ｓ５８）。その後、ステップＳ５２に遷移し、上述した処理を行う。なお、第２記録メディア３００へ複製される暗号化コンテンツデータは、解像度または符号化方式が変換された後の暗号化コンテンツデータである。
【００５９】
図９は、実施の形態３に係る、第２記録メディア３００からコンテンツを第１記録メディア１１６へ移動する際の処理を示すフローチャートである。前提として、図４で説明したバックアップデータに関する考察は、暗号化コンテンツデータそのものにもあてはまるものとする。すなわち、第２記録メディア３００に持ち出された（複製移動）コンテンツの元データが削除されている場合もある。また、別の一面では、第２記録メディア３００が可搬型記録メディアであるであることから、他のコンテンツ記録再生装置から持ち出されたコンテンツを保持している。したがって、第２記録メディア３００が、移動コンテンツリストに登録されていないコンテンツ（暗号化コンテンツデータと利用許諾情報）を保持することもある。
【００６０】
まず、第２記録メディア３００が第２記録メディア装着部１１２に装着され、ユーザにより返却指示が入力されると、以下に説明するコンテンツ返却処理が発動する。また、第２記録メディア装着部１１２から装着検知信号を制御部１０４が受けると、それに起因して自動的にコンテンツ返却処理が発動するようにしてもよい。
【００６１】
以下、図９を参照しながらコンテンツ移動処理について説明する。
まず、制御部１０４は、第１記録メディア１１６から、装着された第２記録メディア３００の移動コンテンツリストを図示しないワークエリアに読み込む（Ｓ６０）。つぎに、その移動コンテンツリストに、第２記録メディア３００から返却されるべき対象コンテンツが登録され、かつ、当該コンテンツの暗号化コンテンツデータが保持されているか否か判定する（Ｓ６１）。
【００６２】
登録され、かつ、保持されている場合（Ｓ６１のＹ）、返却処理を行う。制御部１０４は、第２記録メディア３００内の当該暗号化コンテンツデータを削除する（Ｓ６２）。それと共に、それに対する利用許諾情報も削除する（Ｓ６３）。その後、制御部１０４は、第１記録メディア１１６に記録されているそのコンテンツに対する利用許諾情報の複製許可回数をインクリメントする（Ｓ６４）。具体的には、第１記録メディア１１６内の利用許諾情報を読み出して、その利用許諾情報に含まれる複製可能回数をインクリメントし、再び、第１記録メディア１１６の当該利用許諾情報として上書き記録する。それと共に、制御部１０４は、取り出されたコンテンツの返却を反映させるべく、移動コンテンツリストを更新する（Ｓ６５）。具体的には、該当する第２記録メディア３００に対する移動コンテンツリストから当該移動コンテンツのファイル名を含むエントリを削除する。
【００６３】
上記ステップＳ６１にて、対象コンテンツが登録されていない、または、登録されているが暗号化コンテンツデータが保持されていない場合（Ｓ６１のＮ）、制御部１０４は、第２記録メディア３００内の暗号化コンテンツデータを第１記録メディア１１６に移動させるよう制御する（Ｓ６６）。それと共に、その暗号化コンテンツの利用許諾情報も第１記録メディア１１６に移動させるよう制御する（Ｓ６７）。その後、該当する第２記録メディア３００の移動コンテンツリストに、当該移動コンテンツのファイル名を含むエントリが残っている場合、それを削除する（Ｓ６５）。
【００６４】
以上説明したように実施の形態３によれば、コンテンツ記録再生装置１０の複製元のコンテンツデータが削除されていない限り、実施の形態１の効果と同様の効果を奏する。それに加えて以下の効果を奏する。すなわち、第２記録メディア３００から暗号化コンテンツを第１記録メディア１１６に返却する際、コンテンツ記録再生装置１０の複製元のコンテンツデータが削除されていない限り、元の画質のコンテンツを復元することができる。
【００６５】
（実施の形態４）
第２記録メディア３００に持ち出されたコンテンツが、携帯端末などの再生装置や他のコンテンツ記録再生装置で削除されることがある。この場合、実施の形態１、２におけるバックアップコンテンツリストや、実施の形態３における移動コンテンツリストに登録されているコンテンツが、持ち出し先の第２記録メディア３００に保持されず、返却処理が行えない。この状態を回避し、第２記録メディア３００におけるコンテンツの状態を、バックアップコンテンツリストや移動コンテンツリストに反映させる必要がある。
実施の形態４は、実施の形態１に係る持ち出し処理により持ち出されたコンテンツを利用した、第１記録メディア１１６内のコンテンツ記録再生処理に関する。
実施の形態４に係るコンテンツ記録再生装置の構成は、図１に示した実施の形態１に係るコンテンツ記録再生装置１０の構成と同様である。以下、実施の形態１と動作が異なる要素について説明する。
【００６６】
制御部１０４は、第１記録メディア１１６から第２記録メディア３００へのコンテンツの持ち出し処理、および第１記録メディア１１６に保持されるバックアップデータの削除処理を制御する。具体的には、制御部１０４は、第２記録メディア３００が第２記録メディア装着部１１２に装着されると、第２記録メディア３００が保持するデータを参照し、第１記録メディア１１６から第２記録メディア３００に持ち出されたコンテンツを形成する暗号化コンテンツデータ、およびその利用許諾情報の少なくとも一方が削除されているとき、それに対応する、第１記録メディア１１６に保持されるバックアップデータを削除させるよう制御する。それ以外の場合、そのバックアップデータの保持を継続させる。
【００６７】
本実施の形態は、第２記録メディア３００を搭載する携帯端末等で暗号化コンテンツデータまたはその利用許諾情報が削除された場合、その削除をコンテンツ記録再生装置１０に反映させるものである。まず、携帯機器等側の削除処理について説明する。
【００６８】
図１０は、実施の形態４に係る、第２記録メディア３００を搭載する携帯端末等における、コンテンツの削除処理を示すフローチャートである。
第２記録メディア３００を搭載する携帯端末等のユーザは、コンテンツ記録再生装置１０から持ち出されたコンテンツを視聴後やその他のタイミングで、そのコンテンツの削除指示を出すことにより、第２記録メディア３００から当該コンテンツを削除することができる。
【００６９】
まず、当該携帯端末等の制御部は、コンテンツ記録再生装置１０から持ち出された暗号化コンテンツデータの削除指示が入力されたか否かを判定する（Ｓ７０）。削除指示が入力された場合（Ｓ７０のＹ）、当該制御部は、その暗号化コンテンツデータを削除する（Ｓ７１）。それと共に、その暗号化コンテンツデータの利用許諾情報も削除する（Ｓ７２）。削除指示が入力されていない場合（Ｓ７０のＮ）、それらの削除は実行されない。なお、利用許諾情報の削除はファイルシステム上の削除であってもよい。
【００７０】
図１１は、実施の形態４に係る、コンテンツ記録再生装置１０におけるコンテンツの削除処理を示すフローチャートである。
ユーザが第２記録メディア３００を第２記録メディア装着部１１２に装着し、第２記録メディア装着部１１２がそれを検知すると（Ｓ８０のＹ）、制御部１０４は、装着された第２記録メディア３００のメディア識別情報を取得する（Ｓ８１）。
【００７１】
制御部１０４は、メディアリストにそのメディア識別情報が有るか否かを判定する（Ｓ８２）。有る場合（Ｓ８２のＹ）、そのメディア識別情報に係る第２記録メディア３００のバックアップコンテンツリストを図示しないワークエリアに読込む（Ｓ８３）。そして、バックアップコンテンツリストのエントリ数Ｍがゼロであるか否か判定する（Ｓ８４）。ゼロである場合（８４のＹ）、処理を終了する。ゼロでない場合（８４のＮ）、パラメータｉにエントリ数Ｍを代入する（Ｓ８５）。
【００７２】
制御部１０４は、読み込んだバックアップコンテンツリストのエントリｉに対応するコンテンツの暗号化コンテンツデータが第２記録メディア３００内に有るか否か判定する（Ｓ８６）。有る場合（Ｓ８６のＹ）、パラメータｉをデクリメントする（Ｓ８９）。無い場合（Ｓ８６のＮ）、第１記録メディア１１６内に存在する当該コンテンツのバックアップデータを削除する（Ｓ８７）。それと共に、バックアップコンテンツリストを更新する（Ｓ８８）。具体的には、当該バックアップコンテンツリストから該当するエントリｉを削除する。その後、パラメータｉをデクリメントする（Ｓ８９）。
【００７３】
なお、ステップＳ８６ではエントリｉに対応するコンテンツの有無を判定したが、そのコンテンツの利用許諾情報の有無を判定してもよい。
【００７４】
パラメータｉがデクリメントされると（Ｓ８９）、制御部１０４はパラメータｉがゼロであるか否か判定する（Ｓ９０）。ゼロの場合（Ｓ９０のＹ）、処理を終了する。ゼロでない場合（Ｓ９０のＮ）、ステップＳ８６に遷移して、ステップＳ８６〜Ｓ８９の処理を繰り返す。
【００７５】
上記ステップＳ８２にて、メディアリストに、取得したメディア識別情報が無い場合（Ｓ８２のＮ）、そのメディア識別情報を持つ第２記録メディア３００のバックアップコンテンツリストを新たに作成する（Ｓ９１）。このバックアップコンテンツリストのエントリ数Ｍはゼロに設定される。制御部１０４は、作成したバックアップコンテンツリストをメディアリストに追加する（Ｓ９２）。なお、これらの処理は、メディア装着時ではなく、最初のバックアップ生成の際でもよい。すなわち、エントリ数Ｍが１となる段階で生成してもよい。
【００７６】
以上説明したように実施の形態４によれば、持ち出し先の携帯機器等でなされたコンテンツ削除処理の結果を、第２記録メディア３００を第２記録メディア装着部１１２に装着させるだけでコンテンツ記録再生装置１０側に反映させることができる。すなわち、ユーザはコンテンツ記録再生装置１０側に対して何らの指示を与えなくても、自動的に各コンテンツに対する保持または削除の意思決定をコンテンツ記録再生装置１０に伝達することができる。よって、ユーザの利便性を向上させることができる。
【００７７】
また、第２記録メディア３００内の利用許諾情報が携帯機器等で削除され、その後、第２記録メディア３００が第２記録メディア装着部１１２に装着される場合、第１記録メディア１１６内に存在する、対応するコンテンツのバックアップが削除されることになる。よって、第２記録メディア３００が装着された場合、権利と実体との整合性を確保することができる。
なお、実施の形態２に係る持ち出し処理により持ち出されたコンテンツを利用した、第１記録メディア１１６内のコンテンツ管理処理も、本実施の形態によって実現できる。
【００７８】
（実施の形態４の変形例）
実施の形態４の変形例は、実施の形態３に係る持ち出し処理により持ち出されたコンテンツを利用した、第１記録メディア１１６内のコンテンツ管理処理に関する。
【００７９】
図１２は、実施の形態４の変形例に係る、コンテンツ記録再生装置１０におけるコンテンツの削除処理を示すフローチャートである。
図１０に示した削除処理の結果をコンテンツ記録再生装置１０に反映させるべく、ユーザが第２記録メディア３００を第２記録メディア装着部１１２に装着し、第２記録メディア装着部１１２がそれを検知すると（Ｓ１００のＹ）、制御部１０４は、装着された第２記録メディア３００のメディア識別情報を取得する（Ｓ１０１）。
【００８０】
制御部１０４は、メディアリストにそのメディア識別情報が有るか否か判定する（Ｓ１０２）。有る場合（Ｓ１０２のＹ）、そのメディア識別情報に係る第２記録メディア３００の移動コンテンツリストを図示しないワークエリアに読込む（Ｓ１０３）。そして、移動コンテンツリストのエントリ数Ｑがゼロであるか否か判定する（Ｓ１０４）。ゼロである場合（１０４のＹ）、処理を終了する。ゼロでない場合（１０４のＮ）、パラメータｉにエントリ数Ｑを代入する（Ｓ１０５）。
【００８１】
制御部１０４は、読み込んだ移動コンテンツリストのエントリｉに対応するコンテンツの暗号化コンテンツデータが第２記録メディア３００内に有るか否か判定する（Ｓ１０６）。有る場合（Ｓ１０６のＹ）、パラメータｉをデクリメントする（Ｓ１０９）。無い場合（Ｓ１０６Ｎ）、移動コンテンツリストのエントリｉを削除する（Ｓ１０７）。その後、パラメータｉをデクリメントする（Ｓ１０９）。
【００８２】
なお、ステップＳ１０６ではエントリｉに対応するコンテンツの有無を判定したが、そのコンテンツの利用許諾情報の有無を判定してもよい。
【００８３】
パラメータｉがデクリメントされると（Ｓ１０９）、制御部１０４はパラメータｉがゼロであるか否か判定する（Ｓ１１０）。ゼロの場合（Ｓ１１０のＹ）、処理を終了する。ゼロでない場合（Ｓ１１０のＮ）、ステップＳ１０６に遷移して、ステップＳ１０６〜Ｓ１０９の処理を繰り返す。
【００８４】
上記ステップＳ１０２にて、メディアリストに、取得したメディア識別情報が無い場合（Ｓ１０２のＮ）、そのメディア識別情報を持つ第２記録メディア３００の移動コンテンツリストを新たに作成する（Ｓ１１１）。この移動コンテンツリストのエントリ数Ｑはゼロに設定される。制御部１０４は、作成した移動コンテンツリストをメディアリストに追加する（Ｓ１１２）。
【００８５】
以上説明したように実施の形態４の変形例２によれば、持ち出し先の携帯機器等でなされたコンテンツ削除処理の結果を、第２記録メディア３００を第２記録メディア装着部１１２に装着させるだけでコンテンツ記録再生装置１０側に反映させることができる。すなわち、ユーザはコンテンツ記録再生装置１０側に対して何らの指示を与えなくても、自動的に各コンテンツに対する保持または削除の意思決定をコンテンツ記録再生装置１０に伝達することができる。そして、バックアップデータの有効化によって、これを短時間で行うことができる。よって、ユーザの利便性を向上させることができる。
【００８６】
また、第２記録メディア３００内の利用許諾情報が携帯機器等で削除され、その後、第２記録メディア３００が第２記録メディア装着部１１２に装着される場合、第１記録メディア１１６内に存在する、対応するコンテンツの権利数（＝エントリＱ）がデクリメントされることになる。よって、第２記録メディア３００が装着された場合、権利と実体との整合性を確保することができる。
【００８７】
（実施の形態５）
実施の形態５は、第２記録メディア３００に持ち出されたコピーワンスコンテンツを、第２記録メディア３００が搭載される携帯端末等でザッピングし、その結果をコンテンツ記録再生装置１０に反映させる処理に関する。とくに、コンテンツの一部分が第２記録メディア３００に持ち出されたとき、そのコンテンツ全体の利用許諾情報を第２記録メディア３００に移動させる例に関する。本明細書では、ザッピングとは第１記録メディア１１６に保持される、複数のコンテンツの一部分を第２記録メディア３０に持ち出して、いわゆる、ちら見をして第１記録メディア１１６内の各コンテンツを保持するか削除するか決定する行為、およびそれを実現するための処理を指す。
【００８８】
実施の形態５に係るコンテンツ記録再生装置の構成は、図５に示した実施の形態２に係るコンテンツ記録再生装置１０の構成と同様である。以下、実施の形態２と動作が異なる要素について説明する。
【００８９】
第１記録メディア１１６は、それぞれ独立に処理可能な複数の部分に分離可能なコンテンツ、およびそのコンテンツ全体の利用許諾情報を保持する。上記部分は、単純に時間で区切られた部分であってもよいし、コンテンツがテレビ番組の場合、ＣＭとつぎのＣＭとの間の本編部分であってもよいし、コンテンツが市販用の映画の場合、チャプターであってもよい。
【００９０】
制御部１０４は、第１記録メディア１１６から第２記録メディア３００への、コンテンツの一部分の持ち出し処理、および第１記録メディア１１６に保持されるコンテンツの削除処理を制御する。すなわち、制御部１０４は、コンテンツの一部分が第２記録メディア３００に持ち出されるとき、当該暗号コンテンツデータの一部分およびその暗号化コンテンツデータ全体の利用許諾情報を第２記録メディア３００に移動させるよう制御する。それとともに、当該コンテンツのコンテンツデータ全体のバックアップ、および当該コンテンツの残部分の利用許諾情報を第１記録メディア１１６に保持させるよう制御する。
【００９１】
コンテンツの一部分は、ユーザによって選択された部分であってもよいし、あらかじめコンテンツ記録再生装置１０により定められたものであってもよい。後者の場合、たとえば、コンテンツのハイライト検出機能により特定された部分、またはコンテンツの最初の部分に定めてもよい。なお、移動されるべき一部分は、それぞれ独立に複数選択されてもよい。
【００９２】
制御部１０４は、第２記録メディア３００が第２記録メディア装着部１１２に装着されると、第２記録メディア３００が保持するデータを参照し、第１記録メディア１１６から第２記録メディア３００に持ち出された利用許諾情報が削除されているとき、それに対応する、上記バックアップデータおよび当該残部分の利用許諾情報を削除させるよう制御する。第２記録メディア３００が保持するデータの参照対象は、コンテンツ記録再生装置１０から取り出された（移動された）利用許諾情報である。
【００９３】
一方、第２記録メディア３００に持ち出された利用許諾情報が存在するとき、当該利用許諾情報を第１記録メディア１１６に移動させるとともに、上記バックアップを有効化させるよう制御する。
【００９４】
以上の処理を管理フラグを用いて行ってもよい。
すなわち、第２記録メディア３００は、第１記録メディア１１６から持ち出されたコンテンツデータまたはコンテンツデータの一部に対応する第１記録メディア１１６に保持される上記コンテンツデータのバックアップデータを管理するための管理フラグを保持する。制御部１０４は、第２記録メディア３００が第２記録メディア装着部１１２に装着されると、上記管理フラグを参照し、当該管理フラグによって削除が指示されるとき、それに対応する第１記録メディア１１６に保持されるバックアップとして保持されるコンテンツデータを削除させるよう制御する。当該管理フラグによって戻しが指示されとき、上記コンテンツデータまたは上記コンテンツデータの一部分を第１記録メディア１１６に戻すよう制御する。
【００９５】
図１３は、実施の形態５に係る、第１記録メディア１１６からザッピング対象コンテンツを第２記録メディア３００に持ち出す際の処理を示すフローチャートである。
まず、ユーザは、複数のザッピング対象コンテンツデータの一部分に対する移動指示を受付部１００から入力する。その際、移動させるべき一部分は、ユーザにより選択されてもよいし、あらかじめ定められていてもよい。
【００９６】
制御部１０４は、第２記録メディア装着部１１２に装着された第２記録メディア３００のバックアップコンテンツリストに、移動させるべき暗号化コンテンツデータのエントリを追加する（Ｓ１２０）。なお、この第２記録メディア３００が初めて装着されるものである場合、それ用のバックアップコンテンツリストを新たに作成し、それに移動させるべき暗号化コンテンツデータを追加する。なお、バックアップコンテンツリストの各エントリには、移動させる部分を特定するための識別情報を追記してもよい。
【００９７】
つぎに、制御部１０４は、移動させるべきザッピング対象コンテンツデータ数をパラメータｉに代入する（Ｓ１２１）。つぎに、制御部１０４は、暗号化コンテンツデータｉに解像度または符号化方式の変換が必要か否か判定する（Ｓ１２２）。
【００９８】
変換を行わない場合（Ｓ１２２のＮ）、持ち出すべきコンテンツの暗号化コンテンツデータの一部分を第１記録メディア１１６から第２記録メディア３００へ複製させるよう制御する（Ｓ１２３）。そして、第１記録メディア１１６に記録されている複製元の暗号化コンテンツデータ全体をバックアップ化する。（Ｓ１２４）。その後、当該コンテンツ全体に対する利用許諾情報も第２記録メディア３００へ移動させるよう制御する（Ｓ１２５）。その後、制御部１０４は、パラメータｉをデクリメントする（Ｓ１２７）。
【００９９】
ステップＳ１２２にて、解像度または符号化方式の変換を行う場合（Ｓ１２２のＹ）、暗号処理部１０３は、第１記録メディア１１６から、当該暗号化コンテンツデータに対する利用許諾情報を読込み（Ｓ１２８）、そこからコンテンツ鍵を取得し、その暗号化コンテンツデータの一部分を復号する（Ｓ１２９）。つぎに、画像変換部１０５は、復号されたコンテンツデータの一部分の解像度または符号化方式の変換を行う（Ｓ１３０）。暗号処理部１０３は、変換されたコンテンツデータの一部分を再びコンテンツ鍵で暗号化し、変換後の暗号化コンテンツデータの一部分を得る（Ｓ１３１）。そして、制御部１０４は、第２記録メディア３００へ、暗号処理部１０３で暗号化された変換後の暗号化コンテンツデータの一部分を記録するよう制御する（Ｓ１３２）。
【０１００】
制御部１０４は、第１記録メディア１１６に記録されている対象となる暗号化コンテンツデータ全体をバックアップ化する（Ｓ１２４）。変換後の暗号化コンテンツデータの一部分をバックアップデータとして第１記録メディア１１６に保持させる必要はない。それと共に、第１記録メディア１１６から読み出した当該コンテンツ全体の利用許諾情報も第２記録メディア３００に移動させるよう制御する（Ｓ１２５）。その後、制御部１０４は、パラメータｉをデクリメントする（Ｓ１２７）。
【０１０１】
パラメータｉがデクリメントされると（Ｓ１２７）、制御部１０４は、パラメータｉがゼロであるか否か判定する（Ｓ１３３）。ゼロの場合（Ｓ１３３のＹ）、処理を終了する。ゼロでない場合（Ｓ１３３のＮ）、ステップＳ１２２に遷移し、上述した処理を継続する。
【０１０２】
図１４は、実施の形態５に係る、第２記録メディア３００を搭載する携帯端末等における、コンテンツのザッピング結果を反映させるための処理を示すフローチャートである。前提として、携帯端末等側のザッピング処理は、図１０の処理と同様の処理により、すでに行われているものとする。
【０１０３】
ユーザが第２記録メディア３００を第２記録メディア装着部１１２に装着し、第２記録メディア装着部１１２がそれを検知すると（Ｓ１４０のＹ）、制御部１０４は、装着された第２記録メディア３００のメディア識別情報を取得する（Ｓ１４１）。
【０１０４】
制御部１０４は、メディアリストにそのメディア識別情報が有るか否か判定する（Ｓ１４２）。有る場合（Ｓ１４２のＹ）、そのメディア識別情報に係る第２記録メディア３００のバックアップコンテンツリストを図示しないワークエリアに読込む（Ｓ１４３）。そして、バックアップコンテンツリストのエントリ数Ｍがゼロであるか否か判定する（Ｓ１４４）。ゼロである場合（Ｓ１４４のＹ）、処理を終了する。ゼロでない場合（Ｓ１４４のＮ）、携帯端末等側のザッピング結果をコンテンツ記録再生装置１０に反映させるか否かユーザに確認を求める（Ｓ１４５）。ユーザが反映を希望しない場合（Ｓ１４５のＮ）、処理を終了する。反映を希望する場合（Ｓ１４５のＹ）、パラメータｉにエントリ数Ｍを代入する（Ｓ１４６）。
【０１０５】
制御部１０４は、読込んだバックアップコンテンツリストのエントリｉに対応する暗号化コンテンツデータの利用許諾情報が第２記録メディア３００内に有るか否か判定する（Ｓ１４７）。無い場合（Ｓ１４７のＮ）、第１記録メディア１１６内に存在する当該コンテンツのバックアップデータを削除する（Ｓ１４８）。
【０１０６】
ステップＳ１４７にて、利用許諾情報が第２記録メディア３００内に有る場合（Ｓ１４７のＹ）、制御部１０４は、第２記録メディア３００に存在する当該コンテンツの利用許諾情報を第１記録メディア１１６に移動させるよう制御する（Ｓ１５０）。それと共に、第１記録メディア１１６に存在する当該コンテンツのバックアップデータを有効化する（Ｓ１５１）。
【０１０７】
ステップＳ１４８またはステップＳ１５１の処理の後、制御部１０４は、パラメータｉをデクリメントする（Ｓ１５２）。その後、制御部１０４はパラメータｉがゼロであるか否か判定する（Ｓ１５３）。ゼロでない場合（Ｓ１５３のＮ）、ステップＳ１４７に遷移して、ステップＳ１４７〜Ｓ１５２の処理を繰り返す。ゼロの場合（Ｓ１５３のＹ）、制御部１０４は、バックアップコンテンツリストから全エントリを削除する（Ｓ１５４）。これにより、エントリ数Ｍはゼロとなる。
【０１０８】
上記ステップＳ１４２にて、メディアリストに、取得したメディア識別情報が無い場合（Ｓ１４２のＮ）、そのメディア識別情報を持つ第２記録メディア３００のバックアップコンテンツリストを新たに作成する（Ｓ１５５）。このバックアップコンテンツリストのエントリ数Ｍはゼロに設定される。制御部１０４は、作成したバックアップコンテンツリストをメディアリストに追加する（Ｓ１５６）。
【０１０９】
以上説明したように実施の形態５によれば、持ち出し先の携帯機器等でなされたコンテンツのザッピング結果を、第２記録メディア３００を第２記録メディア装着部１１２に装着させるだけでコンテンツ記録再生装置１０側に反映させることができる。すなわち、ユーザはコンテンツ記録再生装置１０側に対して何らの指示を与えなくても、自動的に各コンテンツに対する蓄積または削除の意思決定をコンテンツ記録再生装置１０に伝達することができる。そして、バックアップデータの有効化によって、これを短時間で行うことができる。よって、ユーザの利便性を向上させることができる。ユーザは、コンテンツ記録再生装置１０に蓄積されたコンテンツを後にじっくり視聴することができる。
【０１１０】
また、ザッピング用に持ち出す対象は、コンテンツデータ全体ではなく一部分であるため、持ち出し処理に要する時間を短縮することができ、持ち出すデータ量も少なくて済む。また、一部分が持ち出されたコンテンツ全体のバックアップデータを生成するため、有効化処理を容易に行うことができる。
【０１１１】
（実施の形態５の変形例）
実施の形態５の変形例は、ザッピング結果を蓄積または削除の二通りではなく、蓄積、削除または未確認の三通りにしたものである。すなわち、基本例では削除指示がない場合、蓄積と扱ったが、変形例では蓄積と未確認とにさらに場合分けする。
【０１１２】
実施の形態５の変形例に係るコンテンツ記録再生装置の構成は、実施の形態５の基本例と同じである。以下、基本例と動作が異なる要素について説明する。
制御部１０４は、第２記録メディア３００が保持するデータを参照し、第２記録メディア３００に持ち出された利用許諾情報が存在し、かつ第２記録メディア３００に持ち出されたコンテンツを形成する暗号化コンテンツデータの一部分が削除されているとき、第２記録メディア３００に存在する利用許諾情報を第１記録メディア１１６に移動させるよう制御する。それと共に、当該コンテンツのバックアップデータを有効化させるよう制御する。第２記録メディア３００に持ち出された利用許諾情報が存在し、かつ第２記録メディア３００に持ち出された暗号化コンテンツデータの一部分も存在するとき、当該バックアップデータをそのまま保持されるよう制御する。
【０１１３】
図１５は、実施の形態５の変形例に係る、第２記録メディア３００を搭載する携帯端末等における、コンテンツの削除処理を示すフローチャートである。
第２記録メディア３００を搭載する携帯端末等のユーザは、コンテンツ記録再生装置１０から持ち出された暗号化コンテンツデータの一部分を視聴後やその他のタイミングで、その一部分の削除指示を出すことにより、第２記録メディア３００から当該暗号化コンテンツデータの一部分を削除することができる。
【０１１４】
まず、当該携帯端末等の制御部は、コンテンツ記録再生装置１０から持ち出された暗号化コンテンツデータの削除指示が入力されたか否か判定する（Ｓ７５）。削除指示が入力された場合（Ｓ７５のＹ）、当該制御部は、その暗号化コンテンツデータの一部分を削除する（Ｓ７６）。それと共に、その暗号化コンテンツデータの利用許諾情報も削除する（Ｓ７７）。
【０１１５】
ステップＳ７５にて削除指示が入力されない場合（Ｓ７５のＮ）、暗号化コンテンツデータの保持指示が入力されたか否か判定する（Ｓ７８）。すなわち、ユーザが積極的にそのコンテンツをコンテンツ記録再生装置１０に保持または蓄積したいとする指示が入力されたか否か判定する。保持指示が入力された場合（Ｓ７８のＹ）、当該制御部は、その暗号化コンテンツデータの一部分を削除する（Ｓ７９）。保持指示が入力されない場合（Ｓ７８のＮ）、その暗号化コンテンツデータの一部分を削除しない。この場合が上記未確認に相当する。
【０１１６】
なお、第２記録メディア３００に暗号化コンテンツデータが多数、持ち出されている場合、それらの利用許諾情報をリスト化して、そのリスト上で利用許諾情報の有無を一元的に管理してもよい。この利用許諾情報の有無をフラグで管理してもよい。たとえば、利用許諾情報が存在する場合そのフラグを「１１」に、利用許諾情報が存在しかつ暗号化コンテンツデータの一部分が存在しない場合そのフラグを「００」に、利用許諾情報が存在しかつ暗号化コンテンツデータの一部分も存在する場合そのフラグを「０１」に、制御してもよい。
【０１１７】
図１６は、実施の形態５の変形例に係る、第２記録メディア３００を搭載する携帯端末等における、コンテンツのザッピング結果を反映させるための処理を示すフローチャートである。図１６のフローチャートは、図１４のフローチャートに一つの判定処理（Ｓ１５７）が追加されたものである。その他の処理は、図１４と同様であるため、追加された判定処理についてのみ説明する。
【０１１８】
ステップＳ１４７にて、第２記録メディア３００にエントリｉの利用許諾情報が第２記録メディア３００内に有る場合（Ｓ１４７のＹ）、制御部１０４は、当該エントリｉの暗号化コンテンツデータの一部分が有るか否か判定する（Ｓ１５７）。無い場合（Ｓ１５７のＮ）、上述したように、第２記録メディア３００に存在する当該暗号化コンテンツデータの利用許諾情報を第１記録メディア１１６に移動させるよう制御する（Ｓ１５０）。それと共に、第１記録メディア１１６に存在する当該コンテンツのバックアップデータを有効化する（Ｓ１５１）。その後、制御部１０４は、パラメータｉをデクリメントする（Ｓ１５２）。
【０１１９】
ステップＳ１５７にて、当該エントリｉの暗号化コンテンツデータの一部分が有る場合（Ｓ１５７のＹ）、ステップＳ１５０およびＳステップＳ１５１の処理をせずに、パラメータｉをデクリメントする（Ｓ１５２）。
【０１２０】
以上説明したように実施の形態５の変形例によれば、実施の形態５の基本例と同様の効果を奏する。それに加え、ザッピング結果に未確認が追加されたため、ユーザの利便性をさらに高めることができる。すなわち、蓄積するか削除するかユーザの判断がまだ下されていないコンテンツがある場合、そのコンテンツについては、コンテンツ記録再生装置１０側で現状維持とし、判断を先送りすることができる。
【０１２１】
（実施の形態６）
実施の形態６は、第２記録メディア３００に持ち出されたコピーワンスコンテンツを、第２記録メディア３００が搭載される携帯端末等でザッピングし、その結果をコンテンツ記録再生装置１０に反映させる処理に関する。とくに、暗号化コンテンツデータの一部分が第２記録メディア３００に持ち出されたとき、その一部分の利用許諾情報を第２記録メディア３００に移動させる例に関する。
【０１２２】
実施の形態６に係るコンテンツ記録再生装置の構成は、図５に示した実施の形態２に係るコンテンツ記録再生装置１０の構成と同様である。以下、実施の形態２と動作が異なる要素について説明する。
【０１２３】
第１記録メディア１１６は、それぞれ独立に処理可能な複数の部分に分離可能なコンテンツデータ、および当該コンテンツデータのそれぞれの部分に対応する利用許諾情報を保持する。
制御部１０４は、第１記録メディア１１６から第２記録メディア３００への、当該コンテンツデータの一部分の持ち出し処理、および第１記録メディア１１６に保持されるコンテンツデータの削除処理を制御する。
【０１２４】
制御部１０４は、上記コンテンツデータの一部分が第２記録メディア３００に持ち出されるとき、当該コンテンツデータの一部分およびその部分の利用許諾情報を第２記録メディア３００に移動させるよう制御する。それとともに、当該コンテンツ全体のバックアップデータを第１記録メディア１１６に保存されるよう制御する。
【０１２５】
制御部１０４は、第２記録メディア３００が第２記録メディア装着部１１２に装着されると、第２記録メディア３００が保持するデータを参照し、第１記録メディア１１６から第２記録メディア３００に持ち出された上記一部分の利用許諾情報が削除されているとき、つぎの処理を行うよう制御する。すなわち、その一部分を含むコンテンツデータに対応する、上記バックアップデータおよびその残部分の利用許諾情報を削除させるよう制御する。
【０１２６】
制御部１０４は、第２記録メディア３００が保持するデータを参照し、第２記録メディア３００に持ち出された上記一部分の利用許諾情報が存在するとき、当該一部分の利用許諾情報を第１記録メディア１１６に移動させるとともに、上記バックアップデータを有効化させるよう制御する。
【０１２７】
図１７は、実施の形態６に係る、第１記録メディア１１６にコンテンツのバックアップデータが生成される場合のファイル構造を示す図である。
メディアリスト４０、バックアップコンテンツリスト５１〜５Ｎおよびバックアップデータ６１〜６Ｍについては、図２と基本的に同様である。図１７は、これらに加え利用許諾リストが設定される。なお、図１７のバックアップデータ６１〜６Ｍについては、持ち出された部分のみのデータとする。
【０１２８】
利用許諾リストは、バックアップコンテンツごとに設定される。利用許諾リストは、ヘッダ部およびＴ（Ｔは０以上の整数）個のエントリを持つ。すなわち、当該コンテンツデータはＴ個の部分に分離されて管理されている。ヘッダ部はエントリ数を管理する。このエントリは特定のコンテンツデータの部分ごとに設定される。各エントリは、部分識別情報（図１７では単にＩＤと表記している）、その部分のスタートブロック、エンドブロック、および有効性フラグを含む。この有効性フラグが「１」のとき当該部分の利用許諾情報が第１記録メディア１１６側に存在することを示し、「０」のとき第２記録メディア３００側に存在することを示す。図１７では、利用許諾リスト５１１のエントリ３に係る部分が第２記録メディア３００側に持ち出された部分である。
【０１２９】
図１８は、実施の形態６に係る、第１記録メディア１１６からザッピング対象コンテンツを第２記録メディア３００に持ち出す際の処理を示すフローチャートである。
図１８のフローチャートでは、図１３のフローチャートのステップＳ１２５において、上記コンテンツの全体の利用許諾情報を移動させるのではなく、上記暗号化コンテンツデータの一部分の利用許諾情報を移動させる（Ｓ１２５）。その他の処理は、図１３と同様である。
【０１３０】
図１９は、実施の形態６に係る、第２記録メディア３００を搭載する携帯端末等における、コンテンツのザッピング結果を反映させるための処理を示すフローチャートである。前提として、携帯端末等側のザッピング処理は、図１０の処理と同様の処理により、すでに行われているものとする。
【０１３１】
図１９のフローチャートは、図１４のフローチャートに二つ処理（Ｓ１４９、Ｓ１７４）が追加されたものである。その他の処理は、図１４と同様であるため、追加された処理についてのみ説明する。
【０１３２】
まず、追加処理１について説明する。
制御部１０４は、当該コンテンツのバックアップデータを削除した後（Ｓ１４８）、当該コンテンツの残部分の利用許諾情報も削除する（Ｓ１４９）。
【０１３３】
つぎに、追加処理２について説明する。
制御部１０４は、ステップＳ１４９またはステップＳ１５１に係る処理の後、エントリｉに係るコンテンツの利用許諾リストを削除する（Ｓ１７４）。
【０１３４】
以上説明したように実施の形態６によれば、持ち出し先の携帯機器等でなされたコンテンツのザッピング結果を、第２記録メディア３００を第２記録メディア装着部１１２に装着させるだけでコンテンツ記録再生装置１０側に反映させることができる。すなわち、ユーザはコンテンツ記録再生装置１０側に対して何らの指示を与えなくても、自動的に各コンテンツに対する蓄積または削除の意思決定をコンテンツ記録再生装置１０に伝達することができる。そして、バックアップデータの有効化によって、これを短時間で行うことができる。よって、ユーザの利便性を向上させることができる。ユーザは、コンテンツ記録再生装置１０に蓄積されたコンテンツを後にじっくり視聴することができる。
【０１３５】
また、ザッピング用に持ち出す対象は、コンテンツ全体ではなく一部分であるため、持ち出し処理に要する時間を短縮することができ、持ち出すデータ量も少なくて済む。また、利用許諾リストを作成し、コンテンツの部分ごとに利用許諾情報を生成することにより、きめ細かな処理が可能となる。たとえば、一つのコンテンツについて複数の部分を持ち出すことも容易である。また、部分ごとに異なる記録メディア３００に持ち出すことも容易である。
【０１３６】
（実施の形態６の変形例）
実施の形態６の変形例は、ザッピング結果を蓄積または削除の二通りではなく、蓄積、削除または未確認の三通りにしたものである。すなわち、基本例では削除指示がない場合、蓄積と扱ったが、変形例では蓄積と未確認とにさらに場合分けする。
【０１３７】
実施の形態６の変形例に係るコンテンツ記録再生装置の構成は、実施の形態６の基本例と同じである。以下、基本例と動作が異なる要素について説明する。
制御部１０４は、第２記録メディア３００が保持するデータを参照し、第２記録メディア３００に持ち出された、上記コンテンツの一部分の利用許諾情報が存在し、かつ第２記録メディア３００に持ち出された当該コンテンツの一部分が削除されているとき、つぎの処理を行うよう制御する。すなわち、第２記録メディア３００に存在する当該一部分の利用許諾情報を第１記録メディア１１６に移動させるとともに、上記バックアップを有効化するよう制御する。
【０１３８】
制御部１０４は、第２記録メディア３００に持ち出された、上記コンテンツの一部分の利用許諾情報が存在し、かつ第２記録メディア３００に持ち出された当該コンテンツの一部分も存在するとき、上記バックアップをそのまま保持するよう制御する。
【０１３９】
図２０は、実施の形態６の変形例に係る、第２記録メディア３００を搭載する携帯端末等における、コンテンツのザッピング結果を反映させるための処理を示すフローチャートである。図２０のフローチャートは、図１９のフローチャートに判定処理（Ｓ１７６）が追加されたものである。また、ステップＳ１５４が削除され、その代わりにステップＳ１７７が追加されたもんである。その他の処理は、図１９と同様であるため、追加された箇所についてのみ説明する。
【０１４０】
ステップＳ１４７にて、第２記録メディア３００にエントリｉの利用許諾情報が第２記録メディア３００内に有る場合（Ｓ１４７のＹ）、制御部１０４は、当該エントリｉの暗号化コンテンツデータの一部分が第２記録メディア３００に有るか否か判定する（Ｓ１７６）。有る場合（Ｓ１７６のＹ）、ステップＳ１５０、ステップＳ１５１、ステップＳ１７４、およびステップＳ１７７の処理をせずに、パラメータｉをデクリメントする（Ｓ１５２）。
【０１４１】
制御部１０４は、エントリｉに係るコンテンツの利用許諾リストを削除した後（Ｓ１７４）、バックアップコンテンツリストのエントリｉを削除する（Ｓ１７７）。
【０１４２】
以上説明したように実施の形態６の変形例によれば、実施の形態６の基本例と同様の効果を奏する。それに加え、ザッピング結果に未確認が追加されたため、ユーザの利便性をさらに高めることができる。すなわち、蓄積するか削除するかユーザの判断がまだ下されていないコンテンツがある場合、そのコンテンツについては、コンテンツ記録再生装置１０側で現状維持とし、判断を先送りすることができる。
【０１４３】
（実施の形態７）
実施の形態７は、第２記録メディア３００に持ち出されたコピーカウントコンテンツを、第２記録メディア３００が搭載される携帯端末等でザッピングし、その結果をコンテンツ記録再生装置１０に反映させる処理に関する。とくに、コンテンツの一部分が第２記録メディア３００に持ち出されたとき、そのコンテンツ全体の利用許諾情報を第２記録メディア３００に移動させる例に関する。
【０１４４】
実施の形態７に係るコンテンツ記録再生装置の構成は、図５に示した実施の形態２に係るコンテンツ記録再生装置１０の構成と同様である。以下、実施の形態２と動作が異なる要素について説明する。
【０１４５】
第１記録メディア１１６は、複製回数が所定の回数に制限され、かつそれぞれ独立に処理可能な複数の部分に分離可能なコンテンツデータ、およびその利用許諾情報を保持する。
制御部１０４は、第１記録メディア１１６から第２記録メディア３００への、当該コンテンツの一部分の持ち出し処理、および第１記録メディア１１６に保持されるコンテンツの削除処理を制御する。
【０１４６】
制御部１０４は、上記コンテンツデータの一部分を第２記録メディア３００に持ち出すとき、当該コンテンツデータの一部分および当該コンテンツ全体の利用許諾情報を第２記録メディア３００に複製させるとともに、第１記録メディア１１６に保持される当該コンテンツの利用許諾情報の複製回数を増加方向および減少方向のいずれかの方向に一つ変化させるよう制御する。
【０１４７】
制御部１０４は、第２記録メディア３００が第２記録メディア装着部１１２に装着されると、第２記録メディア３００が保持するデータを参照し、第１記録メディア１１６から第２記録メディア３００に持ち出された上記利用許諾情報が削除されているとき、第１記録メディア１１６に保持される当該コンテンツデータおよびその利用許諾情報を削除させるよう制御する。
【０１４８】
一方、制御部は、第２記録メディア３００が保持するデータを参照し、第２記録メディア３００に持ち出された上記利用許諾情報が存在するとき、第１記録メディア１１６に保持される当該コンテンツデータの利用許諾情報の複製回数を上記方向と逆方向に一つ変化させるよう制御する。
【０１４９】
図２１は、実施の形態７に係る、第１記録メディア１１６からザッピング対象コンテンツを第２記録メディア３００に持ち出す際の処理を示すフローチャートである。
まず、ユーザは、複数のザッピング対象コンテンツの一部分に対する移動指示を受付部１００から入力する。その際、移動させるべき一部分は、ユーザにより選択されてもよいし、あらかじめ定められていてもよい。
【０１５０】
制御部１０４は、第２記録メディア装着部１１２に装着された第２記録メディア３００の移動コンテンツリストに、移動させるべき暗号化コンテンツのエントリを追加する（Ｓ１８０）。なお、この第２記録メディア３００が初めて装着されるものである場合、それ用の移動コンテンツリストを新たに作成し、それに移動させるべき暗号化コンテンツを追加する。なお、移動コンテンツリストの各エントリには、移動させる部分を特定するための識別情報を追記してもよい。
【０１５１】
つぎに、制御部１０４は、移動させるべきザッピング対象コンテンツ数をパラメータｉに代入する（Ｓ１８１）。つぎに、制御部１０４は、暗号化コンテンツｉの解像度または符号化方式の変換を行うか否か判定する（Ｓ１８２）。
【０１５２】
変換を行わない場合（Ｓ１８２のＮ）、選択された暗号化コンテンツデータを第１記録メディア１１６から第２記録メディア３００に複製させるよう制御する（Ｓ１８３）。それと共に、その当該コンテンツの利用許諾情報を第１記録メディア１１６から読込み、読込まれた利用許諾情報の複製回数を１に変更し、第２記録メディア３００に記録するよう制御する（Ｓ１８４）。なお、後述するステップＳ１８８を経て、ステップＳ１８４に至る場合は、ステップＳ１８４で新たに利用許諾情報を読込むことなく、ステップＳ１８８で読込んだ利用許諾情報を使用してもよい。
【０１５３】
その後、制御部１０４は、第１記録メディア１１６に記録されている当該コンテンツに対する利用許諾情報の複製回数をデクリメントするように制御する（Ｓ１８５）。具体的には、その読込んだ利用許諾情報の複製可能回数をデクリメントし、再び、第１記録メディア１１６の当該利用許諾情報として上書き記録する。なお、複製回数の初期値は、そのコンテンツの複製回数の制限に対応する権利数に設定されているものとする。その後、制御部１０４は、パラメータｉをデクリメントする（Ｓ１８７）。
【０１５４】
ステップＳ１８２にて、変換を行う場合（Ｓ１８２のＹ）、図１３に示したステップＳ１２８〜Ｓ１３２までの処理と同様の処理を行う（Ｓ１８８〜Ｓ１９２）。その後、ステップＳ１８４に遷移し、上述した処理を行う。なお、第２記録メディア３００へ複製される暗号化コンテンツデータの一部分は、解像度または符号化方式が変換された後の暗号化コンテンツデータの一部分である。
【０１５５】
パラメータｉがデクリメントされると（Ｓ１８７）、制御部１０４は、パラメータｉがゼロであるか否か判定する（Ｓ１９３）。ゼロの場合（Ｓ１９３のＹ）、処理を終了する。ゼロでない場合（Ｓ１９３のＮ）、ステップＳ１８２に遷移し、上述した処理を継続する。
【０１５６】
図２２は、実施の形態７に係る、第２記録メディア３００を搭載する携帯端末等における、コンテンツのザッピング結果を反映させるための処理を示すフローチャートである。前提として、携帯端末等側のザッピング処理は、図１０の処理と同様の処理により、すでに行われているものとする。
【０１５７】
ユーザが第２記録メディア３００を第２記録メディア装着部１１２に装着し、第２記録メディア装着部１１２がそれを検知すると（Ｓ２００のＹ）、制御部１０４は、装着された第２記録メディア３００のメディア識別情報を取得する（Ｓ２０１）。
【０１５８】
制御部１０４は、メディアリストにそのメディア識別情報が有るか否か判定する（Ｓ２０２）。有る場合（Ｓ２０２のＹ）、そのメディア識別情報に係る第２記録メディア３００の移動コンテンツリストを図示しないワークエリアに読み込む（Ｓ２０３）。そして、移動コンテンツリストのエントリ数Ｑがゼロであるか否か判定する（Ｓ２０４）。ゼロである場合（Ｓ２０４のＹ）、処理を終了する。ゼロでない場合（Ｓ２０４のＮ）、携帯端末等側のザッピング結果をコンテンツ記録再生装置１０に反映させるか否かユーザに確認を求める（Ｓ２０５）。ユーザが反映を希望しない場合（Ｓ２０５のＮ）、処理を終了する。反映を希望する場合（Ｓ２０５のＹ）、パラメータｉにエントリ数Ｑを代入する（Ｓ２０６）。
【０１５９】
制御部１０４は、読み込んだ移動コンテンツリストのエントリｉに対応するコンテンツの利用許諾情報が第２記録メディア３００内に有るか否か判定する（Ｓ２０７）。なお、これの利用許諾情報の有無がリスト化されている場合、そのリストのフラグを参照して判定してもよい。無い場合（Ｓ２０７のＮ）、第１記録メディア１１６内の対象コンテンツデータを削除する（Ｓ２０８）。それと共に、第１記録メディア１１６内の当該コンテンツの利用許諾情報も削除する（Ｓ２０９）。
【０１６０】
ステップＳ２０７にて、利用許諾情報が第２記録メディア３００内に有る場合（Ｓ２０７のＹ）、制御部１０４は、その利用許諾情報に対応する、第１記録メディア１１６内の利用許諾情報の複製回数をインクリメントする（Ｓ２１０）。
【０１６１】
ステップＳ２０９またはステップＳ２１０の処理の後、制御部１０４は、パラメータｉをデクリメントする（Ｓ２１１）。その後、制御部１０４はパラメータｉがゼロであるか否か判定する（Ｓ２１２）。ゼロでない場合（Ｓ２１２のＮ）、ステップＳ２０７に遷移して、ステップＳ２０７〜Ｓ２１１の処理を繰り返す。ゼロの場合（Ｓ２１２のＹ）、制御部１０４は、移動コンテンツリストから全エントリを削除する（Ｓ２１３）。これにより、エントリ数Ｑはゼロとなる。
【０１６２】
上記ステップＳ２０２にて、メディアリストに、取得したメディア識別情報が無い場合（Ｓ２０２のＮ）、そのメディア識別情報を持つ第２記録メディア３００の移動コンテンツリストを新たに作成する（Ｓ２１４）。この移動コンテンツリストのエントリ数Ｑはゼロに設定される。制御部１０４は、作成した移動コンテンツリストをメディアリストに追加する（Ｓ２１５）。
【０１６３】
以上説明したように実施の形態７によれば、持ち出し先の携帯機器等でなされたコンテンツのザッピング結果を、第２記録メディア３００を第２記録メディア装着部１１２に装着させるだけでコンテンツ記録再生装置１０側に反映させることができる。すなわち、ユーザはコンテンツ記録再生装置１０側に対して何らの指示を与えなくても、自動的に各コンテンツに対する蓄積または削除の意思決定をコンテンツ記録再生装置１０に伝達することができる。そして、複製回数の管理によって、これを短時間で行うことができる。よって、ユーザの利便性を向上させることができる。ユーザは、コンテンツ記録再生装置１０に蓄積されたコンテンツを後にじっくり視聴することができる。また、ザッピング用に持ち出す対象は、コンテンツ全体ではなく一部分であるため、持ち出し処理に要する時間を短縮することができ、持ち出すデータ量も少なくて済む。
【０１６４】
（実施の形態７の変形例）
実施の形態７の変形例は、ザッピング結果を蓄積または削除の二通りではなく、蓄積、削除または未確認の三通りにしたものである。すなわち、基本例では削除指示がない場合、蓄積と扱ったが、変形例では蓄積と未確認とにさらに場合分けする。
【０１６５】
実施の形態７の変形例に係るコンテンツ記録再生装置の構成は、実施の形態５の基本例と同じである。以下、基本例と動作が異なる要素について説明する。
制御部１０４は、第２記録メディア３００が保持するデータを参照し、第２記録メディア３００に持ち出された利用許諾情報が存在し、かつ第２記録メディア３００に持ち出されたコンテンツデータの一部分が削除されているとき、第１記録メディア１１６に保持される当該コンテンツデータの利用許諾情報の複製回数を上記方向と逆方向に一つ変化させるよう制御する。
【０１６６】
一方、制御部１０４は、第２記録メディア３００に持ち出された利用許諾情報が存在し、かつ第２記録メディア３００に持ち出されたコンテンツデータの一部分も存在するとき、第１記録メディア１１６に保持される、対応するコンテンツデータおよびその複製回数を現状維持する。
【０１６７】
図２３は、実施の形態７の変形例に係る、第２記録メディア３００を搭載する携帯端末等における、コンテンツのザッピング結果を反映させるための処理を示すフローチャートである。前提として、携帯端末等側では、図１５に示したザッピング処理がすでに行われているものとする。
【０１６８】
図２３のフローチャートは、図２２のフローチャートに判定処理（Ｓ２１６）が追加されたものである。また、ステップＳ２１３が削除され、その代わりにステップＳ２１７が追加されたもんである。その他の処理は、図２２と同様であるため、追加された箇所についてのみ説明する。
【０１６９】
ステップＳ２０７にて、第２記録メディア３００にエントリｉの利用許諾情報が第２記録メディア３００内に有る場合（Ｓ２０７のＹ）、制御部１０４は、当該エントリｉの暗号化コンテンツデータの一部分が第２記録メディア３００に有るか否か判定する（Ｓ２１６）。有る場合（Ｓ２１６のＹ）、ステップＳ２１０およびステップＳ２１７の処理をせずに、パラメータｉをデクリメントする（Ｓ２１１）。
【０１７０】
制御部１０４は、エントリｉに係るコンテンツの利用許諾情報を削除した後（Ｓ２０９）、移動コンテンツリストのエントリｉを削除する（Ｓ２１７）。
【０１７１】
以上説明したように実施の形態７の変形例によれば、実施の形態７の基本例と同様の効果を奏する。それに加え、ザッピング結果に未確認が追加されたため、ユーザの利便性をさらに高めることができる。すなわち、蓄積するか削除するかユーザの判断がまだ下されていないコンテンツがある場合、そのコンテンツについては、コンテンツ記録再生装置１０側で現状維持とし、判断を先送りすることができる。
【０１７２】
（実施の形態８）
実施の形態８は、第２記録メディア３００に持ち出されたコピーカウントコンテンツを、第２記録メディア３００が搭載される携帯端末等でザッピングし、その結果をコンテンツ記録再生装置１０に反映させる処理に関する。とくに、コンテンツの一部分が第２記録メディア３００に持ち出されたとき、その一部分の利用許諾情報を第２記録メディア３００に移動させる例に関する。
【０１７３】
実施の形態６に係るコンテンツ記録再生装置の構成は、図５に示した実施の形態２に係るコンテンツ記録再生装置１０の構成と同様である。以下、実施の形態２と動作が異なる要素について説明する。
【０１７４】
第１記録メディア１１６は、複製回数が所定の回数に制限され、かつそれぞれ独立に処理可能な複数の部分に分離可能なコンテンツデータ、およびそのコンテンツデータの部分ごとに利用許諾情報を保持する。
制御部１０４は、第１記録メディア１１６から第２記録メディア３００への、上記コンテンツデータの一部分の持ち出し処理、および第１記録メディア１１６に保持されるコンテンツデータの削除処理を制御する。
【０１７５】
制御部１０４は、上記コンテンツデータの一部分が第２記録メディア３００に持ち出されるとき、当該コンテンツデータの一部分およびその一部分の利用許諾情報を上記第２記録メディアに移動させるよう制御する。それとともに、第１記録メディア１１６に保持される当該コンテンツデータの複製回数を増加方向および減少方向のいずれかの方向に一つ変化させるよう制御する。
【０１７６】
制御部１０４は、第２記録メディア３００が第２記録メディア装着部１１２に装着されると、第２記録メディア３００が保持するデータを参照し、第１記録メディア１１６から第２記録メディア３００に持ち出された上記一部分の利用許諾情報が削除されているとき、第１記録メディア１１６に保持される、当該コンテンツデータおよびその利用許諾情報を削除させるよう制御する。
【０１７７】
一方、制御部１０４は、第２記録メディア３００が保持するデータを参照し、第２記録メディアに３００持ち出された上記一部分の利用許諾情報が存在し、かつ当該コンテンツデータの一部分が削除されているとき、第１記録メディア１１６に保持される当該コンテンツデータの複製回数を上記方向と逆方向に一つ変化させるよう制御する。
【０１７８】
実施の形態８に係る、第１記録メディア１１６のコンテンツデータが複製される場合のファイル構造は、図７および図１７を組み合わせたものを適用可能である。
【０１７９】
図２４は、実施の形態８に係る、第１記録メディア１１６からザッピング対象コンテンツを第２記録メディア３００に持ち出す際の処理を示すフローチャートである。
図２４のフローチャートでは、図２１のフローチャートのステップＳ１８５において、上記コンテンツ全体の利用許諾情報の複製回数をデクリメントするのではなく、上記暗号化コンテンツデータの一部分の、利用許諾情報の複製回数をデクリメントする（Ｓ１８５）。その他の処理は、図２１と同様である。
【０１８０】
実施の形態８に係る、第２記録メディア３００を搭載する携帯端末等における、コンテンツのザッピング結果を反映させるための処理は、図２２のフローチャートと基本的に同様である。相違点は、ステップＳ２１０にてインクリメントの対象が、コンテンツ全体の利用許諾情報の複製回数ではなく、コンテンツデータの一部分の、利用許諾情報の複製回数である点である。
【０１８１】
以上説明したように実施の形態８によれば、持ち出し先の携帯機器等でなされたコンテンツのザッピング結果を、第２記録メディア３００を第２記録メディア装着部１１２に装着させるだけでコンテンツ記録再生装置１０側に反映させることができる。すなわち、ユーザはコンテンツ記録再生装置１０側に対して何らの指示を与えなくても、自動的に各コンテンツに対する蓄積または削除の意思決定をコンテンツ記録再生装置１０に伝達することができる。そして、複製回数の管理によって、これを短時間で行うことができる。よって、ユーザの利便性を向上させることができる。ユーザは、コンテンツ記録再生装置１０に蓄積されたコンテンツを後にじっくり視聴することができる。
【０１８２】
また、ザッピング用に持ち出す対象は、コンテンツ全体ではなく一部分であるため、持ち出し処理に要する時間を短縮することができ、持ち出すデータ量も少なくて済む。また、利用許諾リストを作成し、コンテンツデータの部分ごとに利用許諾情報を生成することにより、きめ細かな処理が可能となる。たとえば、一つのコンテンツについて複数の部分を持ち出すことも容易である。また、部分ごとに異なる記録メディア３００に持ち出すことも容易である。
【０１８３】
（実施の形態８の変形例）
実施の形態８の変形例は、ザッピング結果を蓄積または削除の二通りではなく、蓄積、削除または未確認の三通りにしたものである。すなわち、基本例では削除指示がない場合、蓄積と扱ったが、変形例では蓄積と未確認とにさらに場合分けする。
【０１８４】
実施の形態８の変形例に係るコンテンツ記録再生装置の構成は、実施の形態８の基本例と同じである。以下、基本例と動作が異なる要素について説明する。
制御部１０４は、第２記録メディア３００が保持するデータを参照し、第２記録メディア３００に持ち出された、上記コンテンツデータの一部分の利用許諾情報が存在し、かつ第２記録メディア３００に持ち出された当該コンテンツデータの一部分が削除されているとき、つぎの処理を行うよう制御する。すなわち、第１記録メディア１１６に保持される当該コンテンツデータの一部分の、利用許諾情報の複製回数を上記方向と逆方向に一つ変化させるよう制御する。
【０１８５】
一方、制御部１０４は、第２記録メディア３００に持ち出された、上記コンテンツデータの一部分の利用許諾情報が存在し、かつ第２記録メディア３００に持ち出された当該コンテンツの一部分も存在するとき、第１記録メディア１１６に保持される、対応するコンテンツデータおよびその各部分の利用許諾情報の複製回数を現状維持する。
【０１８６】
実施の形態８の変形例に係る、第２記録メディア３００を搭載する携帯端末等における、コンテンツのザッピング結果を反映させるための処理は、図２３のフローチャートと基本的に同様である。相違点は、ステップＳ２１０にてインクリメントの対象が、コンテンツ全体の利用許諾情報の複製回数ではなく、コンテンツデータの一部分の、利用許諾情報の複製回数である点である。
【０１８７】
以上説明したように実施の形態８の変形例によれば、実施の形態８の基本例と同様の効果を奏する。それに加え、ザッピング結果に未確認が追加されたため、ユーザの利便性をさらに高めることができる。すなわち、蓄積するか削除するかユーザの判断がまだ下されていないコンテンツがある場合、そのコンテンツについては、コンテンツ記録再生装置１０側で現状維持とし、判断を先送りすることができる。
【０１８８】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【０１８９】
上記の実施の形態では、コンテンツとしてデジタル放送されるテレビ番組を想定したが、コンテンツは、静止画、動画、音声、あるいはそれらの任意の組合せであってもよく、テキストデータを含むものであってもよい。また、コンテンツは、インターネットを介して配信されたものであってもよいし、ＤＶＤやブルーレイディスクから読み込まれたものであってもよい。
【０１９０】
実施の形態４では、第２記録メディア３００に持ち出される対象をコンテンツ全体として説明したが、コンテンツの一部分であってもよい。また、実施の形態６では、バックアップデータの対象をコンテンツの一部分としたが、コンテンツ全体であってもよい。
【図面の簡単な説明】
【０１９１】
【図１】実施の形態１に係るコンテンツ記録再生装置の構成を示す図である。
【図２】実施の形態１に係る、第１記録メディア１１６がバックアップコンテンツを記録し、それを管理するためのファイル構造を示す図である。
【図３】実施の形態１に係る、第１記録メディアからコンテンツを第２記録メディアに持ち出す際の処理を示すフローチャートである。
【図４】実施の形態１に係る、第２記録メディアからコンテンツを第１記録メディアへ返却する際の処理を示すフローチャートである。
【図５】実施の形態２に係るコンテンツ記録再生装置の構成を示す図である。
【図６】実施の形態２に係る、第１記録メディアからコンテンツを第２記録メディアに持ち出す際の処理を示すフローチャートである。
【図７】実施の形態３に係る、第１記録メディアのコンテンツが複製される場合のファイル構造を示す図である。
【図８】実施の形態３に係る、第１記録メディアからコンテンツを第２記録メディアに持ち出す際の処理を示すフローチャートである。
【図９】実施の形態３に係る、第２記録メディアからコンテンツを第１記録メディアへ返却する際の処理を示すフローチャートである。
【図１０】実施の形態４に係る、第２記録メディアを搭載する携帯端末等における、コンテンツの削除処理を示すフローチャートである。
【図１１】実施の形態４に係る、コンテンツ記録再生装置におけるコンテンツの削除処理を示すフローチャートである。
【図１２】実施の形態４の変形例に係る、コンテンツ記録再生装置におけるコンテンツの削除処理を示すフローチャートである。
【図１３】実施の形態５に係る、第１記録メディアからザッピング対象コンテンツを第２記録メディアに持ち出す際の処理を示すフローチャートである。
【図１４】実施の形態５に係る、第２記録メディアを搭載する携帯端末等における、コンテンツのザッピング結果を反映させるための処理を示すフローチャートである。
【図１５】実施の形態５の変形例に係る、第２記録メディアを搭載する携帯端末等における、コンテンツの削除処理を示すフローチャートである。
【図１６】実施の形態５の変形例に係る、第２記録メディアを搭載する携帯端末等における、コンテンツのザッピング結果を反映させるための処理を示すフローチャートである。
【図１７】実施の形態６に係る、第１記録メディアにコンテンツのバックアップが生成される場合のファイル構造を示す図である。
【図１８】実施の形態６に係る、第１記録メディアからザッピング対象コンテンツを第２記録メディアに持ち出す際の処理を示すフローチャートである。
【図１９】実施の形態６に係る、第２記録メディアを搭載する携帯端末等における、コンテンツのザッピング結果を反映させるための処理を示すフローチャートである。
【図２０】実施の形態６の変形例に係る、第２記録メディアを搭載する携帯端末等における、コンテンツのザッピング結果を反映させるための処理を示すフローチャートである。
【図２１】実施の形態７に係る、第１記録メディアからザッピング対象コンテンツを第２記録メディアに持ち出す際の処理を示すフローチャートである。
【図２２】実施の形態７に係る、第２記録メディアを搭載する携帯端末等における、コンテンツのザッピング結果を反映させるための処理を示すフローチャートである。
【図２３】実施の形態７の変形例に係る、第２記録メディアを搭載する携帯端末等における、コンテンツのザッピング結果を反映させるための処理を示すフローチャートである。
【図２４】実施の形態８に係る、第１記録メディアからザッピング対象コンテンツを第２記録メディアに持ち出す際の処理を示すフローチャートである。
【符号の説明】
【０１９２】
１０  コンテンツ記録再生装置、  １００  受付部、  １０１  リモコン受光部、  １０２  表示パネル、  １０３  暗号処理部、  １０４  制御部、  １０５  画像変換部、  １０６  ＭＰＥＧ−ＴＳデコーダ、  １０８  Ｄ／Ａ変換部、  １１０  表示装置、  １１２  第２記録メディア装着部、  １１６  第１記録メディア、  １２０  チューナ、  １２２  伝送路復号部、  １２４  ＴＳ分離／選択部、  ２００  アンテナ、  ３００  第２記録メディア。  
【図１】
2009134783.tif 000003
【図２】
2009134783.tif 000004
【図３】
2009134783.tif 000005
【図４】
2009134783.tif 000006
【図５】
2009134783.tif 000007
【図６】
2009134783.tif 000008
【図７】
2009134783.tif 000009
【図８】
2009134783.tif 000010
【図９】
2009134783.tif 000011
【図１０】
2009134783.tif 000012
【図１１】
2009134783.tif 000013
【図１２】
2009134783.tif 000014
【図１３】
2009134783.tif 000015
【図１４】
2009134783.tif 000016
【図１５】
2009134783.tif 000017
【図１６】
2009134783.tif 000018
【図１７】
2009134783.tif 000019
【図１８】
2009134783.tif 000020
【図１９】
2009134783.tif 000021
【図２０】
2009134783.tif 000022
【図２１】
2009134783.tif 000023
【図２２】
2009134783.tif 000024
【図２３】
2009134783.tif 000025
【図２４】
2009134783.tif 000026